(57)【要約】  ビームフォーミングトレーニングのための相反性検出及び利用技術が記載される。一実施形態では、例えば、装置は、ロジックを有する局（ＳＴＡ）であって、該ロジックの少なくとも一部はハードウェアであり、前記ロジックは、イニシエータ送信（ＴＸ）セクタを選択するためにイニシエータ送信セクタスイープ（ＴＸＳＳ）を実行し、前記の選択したイニシエータＴＸセクタを用いてビームフォーミング相反性テストを実行し、前記ビームフォーミング相反性テストの結果に基づき前記イニシエータＴＸセクタについて相反性イニシエータ受信（ＲＸ）セクタを用いて指向受信を実行するか否かを決定する、ＳＴＡ、を有する。他の実施形態が記載され、請求される。
2018512805.tif 000002
【特許請求の範囲】
【請求項１】
ロジックを有する局（ＳＴＡ）であって、該ロジックの少なくとも一部はハードウェアであり、前記ロジックは、イニシエータ送信（ＴＸ）セクタを選択するためにイニシエータ送信セクタスイープ（ＴＸＳＳ）を実行し、前記の選択したイニシエータＴＸセクタを用いてビームフォーミング相反性テストを実行し、前記ビームフォーミング相反性テストの結果に基づき前記イニシエータＴＸセクタの相反性イニシエータ受信（ＲＸ）セクタを用いて指向受信を実行するか否かを決定する、ＳＴＡ、
を有する装置。
【請求項２】
前記ロジックは、前記ビームフォーミング相反性テストを含む初期変調及び符号化方式（ＭＣＳ）選択交換を開始する、請求項１に記載の装置。
【請求項３】
前記ロジックは、前記ＭＣＳ選択交換の間、リンク測定要求フレームを送信する、請求項２に記載の装置。
【請求項４】
前記ロジックは、前記リンク測定要求フレームに応答するリンク測定応答フレームの受信に基づき、前記ビームフォーミング相反性テストが成功したことを決定する、請求項３に記載の装置。
【請求項５】
前記ロジックは、前記ビームフォーミング相反性テストが成功したという決定に応答して、前記相反性イニシエータＲＸセクタを用いて指向受信を実行することを決定し、前記相反性イニシエータＲＸセクタに対応する受信アンテナパターンを用いて指向データ送信を受信させる、請求項１に記載の装置。
【請求項６】
前記ロジックは、前記ビームフォーミング相反性テストが失敗したという決定に応答して、前記相反性イニシエータＲＸセクタを用いて指向受信を実行しないことを決定し、イニシエータＲＸセクタを選択する、請求項１に記載の装置。
【請求項７】
前記ロジックは、前記相反性イニシエータＲＸセクタを用いて指向受信を実行しないという決定に応答して受信セクタトレーニング手順を開始し、前記受信セクタトレーニング手順に含まれるレスポンダ受信セクタスイープ（ＲＸＳＳ）の間に受信された１又は複数のセクタスイープフレームに基づき、前記イニシエータＲＸセクタを選択し、前記選択したイニシエータＲＸセクタに対応する受信アンテナパターンを用いて指向データ送信を受信させる、請求項６に記載の装置。
【請求項８】
前記ロジックは、前記相反性イニシエータＲＸセクタを用いて指向受信を実行しないという決定に応答してビーム微調整手順を開始し、前記ビーム微調整手順の結果に従い、前記イニシエータＲＸセクタを選択し、前記選択したイニシエータＲＸセクタに対応する受信アンテナパターンを用いて指向データ送信を受信させる、請求項６に記載の装置。
【請求項９】
請求項１乃至８のいずれかに記載の装置と、
少なくとも１つの無線周波数（ＲＦ）通信機と、
少なくとも１つのＲＦアンテナと、
を有するシステム。
【請求項１０】
ロジックを有する局（ＳＴＡ）であって、該ロジックの少なくとも一部はハードウェアであり、前記ロジックは、レスポンダ送信（ＴＸ）セクタを選択するためにレスポンダ送信セクタスイープ（ＲＸＳＳ）を実行し、前記レスポンダＴＸセクタのための相反性レスポンダ受信（ＲＸ）セクタを用いて指向受信モードに入り、ビームフォーミング相反性テストの結果に基づき指向データ受信のために前記相反性レスポンダＲＸセクタを使用するか否かを決定する、ＳＴＡ、
を有する装置。
【請求項１１】
前記ビームフォーミング相反性テストは、初期変調及び符号化方式（ＭＣＳ）選択交換の少なくとも一部を含む、請求項１０に記載の装置。
【請求項１２】
前記ロジックは、前記ビームフォーミング相反性テストの間に、リンク測定要求フレームを受信し、前記リンク測定要求フレームに応答するリンク測定応答フレームを送信する、請求項１０に記載の装置。
【請求項１３】
前記ロジックは、前記送信したリンク測定応答フレームに応答する第２リンク測定応答フレームの受信に基づき、前記ビームフォーミング相反性テストが成功したことを決定する、請求項１２に記載の装置。
【請求項１４】
前記ロジックは、前記送信したリンク測定応答フレームに応答して第２リンク測定応答フレームが受信されないという決定に応答して、前記ビームフォーミング相反性テストが失敗したことを決定する、請求項１２に記載の装置。
【請求項１５】
前記ロジックは、前記ビームフォーミング相反性テストが成功したという決定に応答して、指向データ受信のために前記相反性レスポンダＲＸセクタを用いることを決定し、前記相反性レスポンダＲＸセクタに対応する受信アンテナパターンを用いて指向データ送信を受信させる、請求項１０に記載の装置。
【請求項１６】
前記ロジックは、前記ビームフォーミング相反性テストが失敗したという決定に応答して、指向データ受信のために前記相反性レスポンダＲＸセクタを用いないことを決定し、レスポンダＲＸセクタを選択する、請求項１０に記載の装置。
【請求項１７】
前記ロジックは、受信セクタトレーニング手順のイニシエータ受信セクタスイープ（ＲＸＳＳ）の間に受信された１又は複数のセクタスイープフレームに基づき、前記レスポンダＲＸセクタを選択する、請求項１６に記載の装置。
【請求項１８】
コンピュータプログラムであって、局（ＳＴＡ）に、
イニシエータ送信（ＴＸ）セクタを選択するためにイニシエータ送信セクタスイープ（ＴＸＳＳ）を実行させ、
前記の選択したイニシエータＴＸセクタを用いてビームフォーミング相反性テストを実行させ、
前記ビームフォーミング相反性テストの結果に基づき前記イニシエータＴＸセクタの相反性イニシエータ受信（ＲＸ）セクタを用いて指向受信を実行するか否かを決定させる、
コンピュータプログラム。
【請求項１９】
前記ＳＴＡに、さらに、
前記ビームフォーミング相反性テストが成功したという決定に応答して、
前記相反性イニシエータＲＸセクタを用いて指向受信を実行することを決定させ、
前記相反性イニシエータＲＸセクタに対応する受信アンテナパターンを用いて指向データ送信を受信させる、
請求項１８に記載のコンピュータプログラム。
【請求項２０】
前記ＳＴＡに、さらに、
前記ビームフォーミング相反性テストが失敗したという決定に応答して、
前記相反性イニシエータＲＸセクタを用いて指向受信を実行しないことを決定させ、
イニシエータＲＸセクタを選択させる、
請求項１８に記載のコンピュータプログラム。
【請求項２１】
前記ＳＴＡに、さらに、指向受信モードに入るようレスポンダに指示するために指向受信命令を送信させ、前記指向受信命令は、前記イニシエータＴＸＳＳと同じ送信セクタトレーニング手順に含まれるレスポンダＴＸＳＳに続き前記指向受信モードに入るよう前記レスポンダに指示する、請求項１８に記載のコンピュータプログラム。
【請求項２２】
前記ＳＴＡに、さらに、前記指向受信命令を含む許可フレームを送信させる、請求項２１に記載のコンピュータプログラム。
【請求項２３】
前記ＳＴＡに、さらに、前記送信セクタトレーニング手順に続き前記指向受信命令を含む前記許可フレームを送信させる、請求項２２に記載のコンピュータプログラム。
【請求項２４】
前記ＳＴＡに、さらに、前記指向受信命令を含むセクタスイープフィードバックフレームを送信させる、請求項２１に記載のコンピュータプログラム。
【請求項２５】
前記ＳＴＡに、さらに、
前記指向受信命令を含む第１フレームを送信させ、
前記指向受信命令の肯定応答を含む第２フレームを受信させ、前記指向受信命令は、前記第１フレームのフィールドに指定ビットの値を含み、前記指向受信命令の前記肯定応答は、前記第２フレームのフィールドに、対応する指定ビットの値を含む、
請求項２１に記載のコンピュータプログラム。
【請求項２６】
請求項１８乃至２５のいずれか一項に記載のコンピュータプログラムを記憶したコンピュータ可読記憶媒体。
【発明の詳細な説明】
【技術分野】
【０００１】
本願明細書に記載の実施形態は、概して、無線ネットワーク内の装置間の無線通信に関する。
【背景技術】
【０００２】
６０ＧＨｚ無線通信周波数帯は、無線通信装置及びそのユーザの未曾有のデータレート要求に対応する際に使用するための実質的保証を提供する。６０ＧＨｚ帯は大量の利用可能帯域幅を含み、６０ＧＨｚ帯の周波数を有する信号の物理特性は、それらを空間多重化技術の適用に関連する指向送信及び受信における使用に良好に適したものにする。２つの６０ＧＨｚ可能装置が最初に互いに接続を確立するとき、それらは、それらが送信すべき個々の方向、及びそれらが受信すべき個々の方向を識別するために、ビームフォーミングトレーニング手順を実行して良い。２つの６０ＧＨｚ可能装置の間に遮るもののない直接経路が存在する多くの典型的なシナリオでは、各装置の最適送信方向は、その最適受信方向、つまり他の装置への遮るもののない経路の方向と同じである。しかしながら、幾つかの場合には、装置の最適送信方向は、それらの最適受信方向と異なる場合がある。
【図面の簡単な説明】
【０００３】
【図１】第１の動作環境の一実施形態を示す。
【図２Ａ】第１の通信フローの一実施形態を示す。
【図２Ｂ】第２の通信フローの一実施形態を示す。
【図３】第２の動作環境の一実施形態を示す。
【図４】第３の動作環境の一実施形態を示す。
【図５】第３の通信フローの一実施形態を示す。
【図６】第４の通信フローの一実施形態を示す。
【図７】第１のロジックフローの一実施形態を示す。
【図８】第２のロジックフローの一実施形態を示す。
【図９】記憶媒体の一実施形態を示す。
【図１０】装置の一実施形態を示す。
【図１１】無線ネットワークの一実施形態を示す。
【発明を実施するための形態】
【０００４】
種々の実施形態は、概して、ビームフォーミングトレーニングのための相反性検出及び利用技術を対象とし得る。一実施形態では、例えば、装置は、ロジックを有する局（ＳＴＡ）であって、該ロジックの少なくとも一部はハードウェアであり、前記ロジックは、イニシエータ送信（ＴＸ）セクタを選択するためにイニシエータ送信セクタスイープ（transmit  sector  sweep：ＴＸＳＳ）を実行し、前記の選択したイニシエータＴＸセクタを用いてビームフォーミング相反性テストを実行し、前記ビームフォーミング相反性テストの結果に基づき前記イニシエータＴＸセクタの相反性イニシエータ受信（ＲＸ）セクタを用いて指向受信を実行するか否かを決定する、ＳＴＡ、を有して良い。他の実施形態が記載され、請求される。
【０００５】
種々の実施形態は、１又は複数の要素を有して良い。要素は、特定の動作を実行するよう構成される任意の構造を有して良い。各要素は、設計パラメータ又は性能制約の所与のセットのために必要に応じて、ハードウェア、ソフトウェア、又はそれらの任意の組合せとして実装されて良い。一実施形態は例として限られた数の要素を特定のトポロジで有するが、所与の実装の必要に応じて該実施形態はより多くの又は少ない要素を別のトポロジで有して良い。留意すべきことに、「１つの実施形態」又は「一実施形態」に対する任意の参照は、実施形態と関連して記載された特定の機能、構造又は特徴が少なくとも１つの実施形態に含まれることを意味する。明細書内の様々な箇所における「一実施形態では」、「幾つかの実施形態では」、「種々の実施形態では」という表現の出現は、必ずしも全て同じ実施形態を参照していない。
【０００６】
本願明細書における種々の実施形態は、概して、無線通信システムを対象とする。幾つかの実施形態は、特に、６０ＧＨｚ周波数による無線通信を対象とする。様々なこのような実施形態は、６０ＧＨｚ無線通信のための１又は複数の標準に従い実行される無線通信に関連して良い。例えば、幾つかの実施形態は、１又は複数の無線ギガビットアライアンス（「ＷｉＧｉｇ」）／前の版、改訂版、後継版、及び／又は変形を含む８０２．１１ａｄ−２０１２のようなＩＥＥＥ（Institute  of  Electrical  and  Electronics  Engineers）８０２．１１ａｄ標準に従い実行される無線通信に関連して良い。様々な実施形態は、１又は複数の「次世代」６０ＧＨｚ（「ＮＧ６０」）無線ローカルエリアネットワーク（ＷＬＡＮ）通信標準に従い実行される無線通信に関連して良い。幾つかの実施形態は、１又は複数のミリ波（ｍｍＷａｖｅ）無線通信標準に従い実行される無線通信に関連して良い。留意すべきことに、用語「６０ＧＨｚ」は、本願明細書において種々の無線通信装置、無線通信周波数、及び無線通信標準を参照して利用されるとき、具体的に正確に６０ＧＨｚの周波数を示すことを意図するのではなく、むしろ、通常、５７ＧＨｚ乃至６４ＧＨｚ周波数帯の中の又はその近くの周波数、又は任意の近くの未認可帯を参照することを意図する。実施形態は、この文脈に限定されない。
【０００７】
様々な実施形態は、追加又は代替で、１又は複数の他の無線通信標準に従う無線通信に関連して良い。幾つかの実施形態は、１又は複数の広帯域無線通信標準に従い実行される無線通信に関連して良い。例えば、種々の実施形態は、前の版、改訂版、後継版、及び／又は変形を含む１又は複数の３ＧＰＰ（３rd  Generation  Partnership  Project）、３ＧＰＰ  ＬＴＥ（Long  Term  Evolution）、及び／又は３ＧＰＰ  ＬＴＥ−Ａ（LTE−Advanced）技術及び／又は標準に従い実行される無線通信に関連して良い。幾つかの実施形態で利用され得る広帯域無線通信技術／標準の追加の例は、限定ではなく、前の版、改訂版、後継版、及び／又は変形を含む、ＧＳＭ（Global  System  for  Mobile  Communications）／ＥＤＧＥ（Enhanced  Data  Rates  for  GSM  Evolution）、ＵＭＴＳ（Universal  Mobile  Telecommunications  System）／ＨＳＰＡ（High  Speed  Packet  Access）、及び／又はＧＭＳ／ＧＰＲＳ（GSM  with  General  Packet  Radio  Service）、ＩＥＥＥ８０２．１６ｍ及び／又はＩＥＥＥ８０２．１６ｐのようなＩＥＥＥ８０２．１６無線広帯域標準、ＩＭＴ−ＡＤＶ（International  Mobile  Telecommunications  Advanced）、ＷｉＭＡＸ（Worldwide  Interoperability  for  Microwave  Access）及び／又はＷｉＭＡＸ  ＩＩ、ＣＤＭＡ（Code  Division  Multiple  Access）２０００（例えば、CDMA２０００  １xRTT,  CDMA２０００EV−DO,  CDMA  EV−DV、等）、ＨＩＰＥＲＭＡＮ（High  Performance  Radio  Metropolitan  Area  Network）、ＷｉＢｒｏ（Wireless  Broadband）、ＨＳＤＰＡ（High  Speed  Downlink  Packet  Access）、ＯＳＰＯＡ（High  Speed  Orthogonal  Frequency−Division  Multiplexing  Packet  Access）、ＨＳＵＰＡ（High−Speed  Uplink  Packet  Access）技術／標準を含み得る。
【０００８】
種々の実施形態において使用され得る無線通信技術及び／又は標準の更なる例は、限定ではなく、前の版、改訂版、後継版、及び／又は変形を含む、ＩＥＥＥ８０２．１１、ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ｕ、ＩＥＥＥ８０２．１１ａｃ、ＩＥＥＥ８０２．１１ａｆ、及び／又はＩＥＥＥ８０２．１１ａｈ標準のような他のＩＥＥＥ無線通信標準、ＩＥＥＥ８０２．１１ＨＥＷ（High  Efficiency  WLAN）研究グループ及び／又はＩＥＥＥ８０２．１１タスクグループ（ＴＧ）ａｘにより開発されたＨｉｇｈ−Ｅｆｆｉｃｉｅｎｃｙ  Ｗｉ−Ｆｉ標準、Ｗｉ−Ｆｉ、Ｗｉ−Ｆｉ  Ｄｉｒｅｃｔ、Ｗｉ−Ｆｉ  Ｄｉｒｅｃｔ  Ｓｅｒｖｉｃｅ、ＷＤＥ（WiGig  Display  Extension）、ＷＢＥ（WiGig  Bus  Extension）、ＷＳＥ（WiGig  Serial  Extension）標準及び／又はＷＦＡ  ＮＡＮ（Neighbor  Awareness  Networking）タスクグループにより開発された標準のような、ＷＦＡ（Wi−Fi  Alliance）無線通信標準、３ＧＰＰ  ＴＲ（Technical  Report）２３．８８７、３ＧＰＰ  ＴＳ（Technical  Specification）２２．３６８、及び／又は３ＧＰＰ  ＴＳ２３．６８２で具現化されたようなＭＴＣ（machine−type  communications）標準、及び／又は、ＮＦＣフォーラム二より開発された標準のようなＮＦＣ（near−field  communication）標準、を含んで良い。実施形態は、これらの例に限定されない。
【０００９】
図１は、種々の実施形態の典型となり得る動作環境１００の一例を示す。動作環境１００では、６０ＧＨｚ可能装置１０２及び１０４は、ビームフォーミングされた６０ＧＨｚリンク１０６及び１０８を介して互いに通信する。６０ＧＨｚ可能装置１０２は、６０ＧＨｚ可能装置１０４へビームフォーミングされた６０ＧＨｚリンク１０６を介してデータを送信し、６０ＧＨｚ可能装置１０４からビームフォーミングされた６０ＧＨｚリンク１０８を介してデータを受信する。同様に、６０ＧＨｚ可能装置１０４は、６０ＧＨｚ可能装置１０２へビームフォーミングされた６０ＧＨｚリンク１０８を介してデータを送信し、６０ＧＨｚ可能装置１０２からビームフォーミングされた６０ＧＨｚリンク１０６を介してデータを受信する。幾つかの実施形態では、６０ＧＨｚ可能装置１０２及び１０４は、６０ＧＨｚ帯の無線チャネル周波数を利用する無線ネットワーク内の無線通信装置を有して良い。種々の実施形態では、６０ＧＨｚ可能装置１０２及び１０４は、６０ＧＨｚ無線通信のための１又は複数の標準に従い互いに通信して良い。例えば、幾つかの実施形態では、６０ＧＨｚ可能装置１０２及び１０４は、ＩＥＥＥ８０２．１１ａｄ、及び／又はその前の版、改訂版、後の版、及び／又は変形で定められる１又は複数のプロトコル及び／又は手順に従い、互いに通信して良い。種々のこのような実施形態では、６０ＧＨｚ可能装置１０２及び１０４は、指向マルチギガビット（Directional  Multi−Gigabit：ＤＭＧ）局（ＳＴＡ）のような６０ＧＨｚ可能局（ＳＴＡ）を有して良い。幾つかのこのような実施形態では、６０ＧＨｚ可能装置１０２及び１０４のうちの１つは、個人基本サービスセット（personal  basic  service  set：ＰＢＳＳ）制御ポイント／アクセスポイント（ＰＣＰ／ＡＰ）として動作して良い。実施形態は、これらの例に限定されない。
【００１０】
幾つかの実施形態では、６０ＧＨｚ可能装置１０２及び１０４は、指向送信及び受信能力を有して良く、ビームフォーミングされた６０ＧＨｚリンク１０６及び１０８を介するデータの交換は、信号の指向送信及び受信に関連して良い。種々の実施形態では、各指向送信は、送信装置の複数の送信（ＴＸ）セクタのうちの選択された１つに向けられて良い。幾つかの実施形態では、各指向受信は、受信装置の受信ビームを、受信装置の複数の受信（ＲＸ）セクタのうちの選択された１つに向けてフォーカスすることにより実行されて良い。種々の実施形態では、６０ＧＨｚ可能装置１０２は、データを有する信号を選択されたＴＸセクタへ向けて送信することにより、ビームフォーミングされた６０ＧＨｚリンク１０６を介して該データを送信して良い。幾つかの実施形態では、６０ＧＨｚ可能装置１０４は、自身の受信ビームを選択されたＲＸセクタに向けてフォーカスしながら、該データを有する信号を受信することにより、ビームフォーミングされた６０ＧＨｚリンク１０６を介して該データを受信して良い。種々の実施形態では、６０ＧＨｚ可能装置１０４は、データを有する信号を選択されたＴＸセクタへ向けて送信することにより、ビームフォーミングされた６０ＧＨｚリンク１０８を介して該データを送信して良い。幾つかの実施形態では、６０ＧＨｚ可能装置１０２は、自身の受信ビームを選択されたＲＸセクタに向けてフォーカスしながら、該データを有する信号を受信することにより、ビームフォーミングされた６０ＧＨｚリンク１０８を介して該データを受信して良い。実施形態は、この文脈に限定されない。
【００１１】
種々の実施形態では、６０ＧＨｚ可能装置１０２及び１０４のうちの一方が他方により送信された信号を受信する品質は、信号を送信するために使用されるＴＸセクタ及び信号を受信するために使用されるＲＸセクタに大いに依存し得る。ＲＸセクタが選択され、結果として高品質レベルで信号が受信機に到達し、及び受信機の受信ビームが到来信号に向けられるようにＲＸセクタが選択さる場合、受信機は、高品質レベルで信号を受信でき、結果として、関連するビームフォーミングされた６０ＧＨｚリンクに関して高リンク品質をもたらす。他方で、ＴＸセクタが選択され、結果として低品質レベルで信号が受信機に到達し、及び／又は受信機の受信ビームが到来信号から離れて方向付けられるようにＲＸセクタが選択さる場合、受信機は、低品質レベルで信号を受信し、結果として、関連するビームフォーミングされた６０ＧＨｚリンクに関して低リンク品質をもたらす。幾つかの実施形態では、ビームフォーミングされた６０ＧＨｚリンク１０６及び１０８のリンク品質を最適化するようＴＸ及びＲＸセクタを選択するために、６０ＧＨｚ可能装置１０２及び１０４は、ビームフォーミングトレーニング手順を実行して良い。このようなビームフォーミングトレーニング手順を開始する装置は、「イニシエータ」として参照され、他の参加装置は、「レスポンダ」として参照されて良い。
【００１２】
図２Ａは、６０ＧＨｚ可能装置１０２及び１０４がビームフォーミングされた６０ＧＨｚリンク１０６及び１０８のリンク品質を最適化するよう最良ＴＸ及びＲＸセクタを識別するために、種々の実施形態において実行し得るビームフォーミングトレーニング手順の典型であり得る通信フロー２００の一例を示す。通信フロー２００では、イニシエータ及びレスポンダは、イニシエータ−レスポンダリンク及びレスポンダ−イニシエータリンクを訓練するために、通信を交換する。幾つかの実施形態では、６０ＧＨｚ可能装置１０２はイニシエータとして動作して良く、６０ＧＨｚ可能装置１０４はレスポンダとして動作して良い。したがって、ビームフォーミングされた６０ＧＨｚリンク１０６は、イニシエータ−レスポンダリンクを有して良く、ビームフォーミングされた６０ＧＨｚリンク１０８は、レスポンダ−イニシエータリンクを有して良い。種々の他の実施形態では、６０ＧＨｚ可能装置１０４はイニシエータとして動作して良く、６０ＧＨｚ可能装置１０２はレスポンダとして動作して良い。したがって、ビームフォーミングされた６０ＧＨｚリンク１０８は、イニシエータ−レスポンダリンクを有して良く、ビームフォーミングされた６０ＧＨｚリンク１０６は、レスポンダ−イニシエータリンクを有して良い。実施形態は、この文脈に限定されない。
【００１３】
図２Ａに示すように、幾つかの実施形態では、通信フロー２００は、送信セクタトレーニング段階２０１、及び受信セクタトレーニング段階２２１を有して良い。種々の実施形態では、送信セクタトレーニング段階２０１中に交換される通信に基づき、イニシエータはイニシエータＴＸセクタを選択して良く、レスポンダはレスポンダＴＸセクタを選択して良い。種々の実施形態では、送信セクタトレーニング段階２２１中に交換される通信に基づき、イニシエータはイニシエータＲＸセクタを選択して良く、レスポンダはレスポンダＲＸセクタを選択して良い。
【００１４】
図２Ａに示すように、種々の実施形態では、送信セクタトレーニング段階２０１は、イニシエータが許可（Ｇ）フレーム２０２を送信することで開始して良い。該許可フレーム２０２に対して、レスポンダは、許可肯定応答（ＧＡ）フレーム２０４を送信することにより応答して良い。幾つかの実施形態では、許可肯定応答フレーム２０４の受信に続き、イニシエータは、イニシエータ送信セクタスイープ（initiator  transmit  sector  sweep：ＴＸＳＳ）２０６の間に、一連のセクタスイープ（Ｓ）フレームを送信して良い。種々の実施形態では、イニシエータ及びレスポンダは、許可フレーム２０２及び許可肯定応答フレーム２０４を交換しなくて良く、送信セクタトレーニング段階２０１はイニシエータＴＸＳＳ２０６で開始して良い。幾つかの実施形態では、イニシエータＴＸＳＳ２０６の間に、イニシエータは、それぞれが複数のイニシエータ送信（ＴＸ）セクタのうちの個々の１つを使用する複数のセクタスイープフレームを送信して良い。種々の実施形態では、各々のこのようなセクタスイープフレームは、それが送信されるイニシエータＴＸセクタのセクタ識別子（ＩＤ）を含んで良い。幾つかの実施形態では、レスポンダは、全方位又は準全方位受信アンテナ構成を用いて送信されるセクタスイープフレームを傾聴して良く、自身が受信に成功した各々のセクタスイープフレームを自身が受信する個々の品質レベルを測定して良い。幾つかの実施形態では、例えば、レスポンダは、自身が受信に成功した各々のセクタスイープフレームを自身が受信する個々の信号対雑音比（signal−to−noise  ratio：ＳＮＲ）を測定して良い。種々の実施形態では、レスポンダは、高品質レベルで受信したセクタスイープフレームを識別し、セクタスイープフレームに含まれるセクタＩＤに関連付けられるイニシエータＴＸセクタを最良イニシエータＴＸセクタとして識別して良い。
【００１５】
幾つかの実施形態では、イニシエータＴＸＳＳ２０６に続き、レスポンダは、レスポンダＴＸＳＳ２０８の間に一連のセクタスイープフレームを送信して良い。種々の実施形態では、レスポンダＴＸＳＳ２０８の間に、レスポンダは、それぞれが複数のレスポンダ送信（ＴＸ）セクタのうちの個々の１つを使用する複数のセクタスイープフレームを送信して良い。幾つかの実施形態では、各々のこのようなセクタスイープフレームは、それが送信されるレスポンダＴＸセクタのセクタ識別子（ＩＤ）を含んで良い。種々の実施形態では、各々のこのようなセクタスイープフレームは、最良イニシエータＴＸセクタのセクタＩＤ、及び該セクタＩＤを有するセクタスイープフレームがレスポンダにおいて受信された品質レベルも含んで良い。幾つかの実施形態では、イニシエータは、全方位又は準全方位受信アンテナ構成を用いて送信されるセクタスイープフレームを傾聴して良く、自身が受信に成功した各々のセクタスイープフレームを自身が受信する個々の品質レベルを測定して良い。幾つかの実施形態では、例えば、イニシエータは、自身が受信に成功した各々のセクタスイープフレームを自身が受信する個々のＳＮＲを測定して良い。種々の実施形態では、イニシエータは、最良ＴＸセクタ、及びその対応する品質レベルを、任意のこのような受信に成功したセクタスイープフレームからそれらのパラメータを読み出すことにより、識別して良い。幾つかの実施形態では、イニシエータは、高品質レベルで受信したセクタスイープフレームを識別し、セクタスイープフレームに含まれるセクタＩＤに関連付けられるレスポンダＴＸセクタを最良レスポンダＴＸセクタとして識別して良い。
【００１６】
種々の実施形態では、レスポンダＴＸＳＳ２０８に続き、イニシエータは、セクタスイープフィードバック（ＳＦ）フレーム２１０を送信して良い。幾つかの実施形態では、セクタスイープフィードバックフレーム２１０は、最良レスポンダＴＸセクタのセクタＩＤ、及び該セクタＩＤを有するセクタスイープフレームがイニシエータにおいて受信された品質レベルの指示を含んで良い。種々の実施形態では、レスポンダは、その最良ＴＸセクタ、及びその対応する品質レベルを、セクタスイープフィードバックフレームからそれらのパラメータを読み出すことにより、識別して良い。幾つかの実施形態では、送信セクタトレーニング段階２０１は、セクタスイープフィードバックフレーム２１０の受信に肯定応答するためにレスポンダがセクタスイープ肯定応答（ＳＡ）フレーム２１２を送信することで終わって良い。
【００１７】
種々の実施形態では、受信セクタトレーニング段階２２１は、イニシエータが許可フレーム２２２を送信することで開始して良い。該許可フレーム２２２に対して、レスポンダは、許可肯定応答フレーム２２４を送信することにより応答して良い。種々の実施形態では、許可肯定応答フレーム２２４の受信に続き、イニシエータは、イニシエータ受信セクタスイープ（initiator  receive  sector  sweep：ＲＸＳＳ）２２６の間に、一連のセクタスイープフレームを送信して良い。幾つかの実施形態では、イニシエータ及びレスポンダは、許可フレーム２２２及び許可肯定応答フレーム２２４を交換しなくて良く、受信セクタトレーニング段階２２１はイニシエータＲＸＳＳ２２６で開始して良い。種々の実施形態では、イニシエータＲＸＳＳ２２６の間に、イニシエータは、それぞれが送信セクタトレーニング段階２０１の間に識別された最良イニシエータＴＸセクタを使用する複数のセクタスイープフレームを送信して良い。幾つかの実施形態では、レスポンダは、各々のこのようなセクタスイープフレームの送信中に異なる個々の受信（ＲＸ）セクタを監視して良く、自身が受信に成功した各々のセクタスイープフレームを自身が受信する個々の品質レベルを測定して良い。種々の実施形態では、レスポンダは、高品質レベルで受信したセクタスイープフレームを識別し、該セクタスイープフレームの受信のときに監視されるレスポンダＲＸセクタを、最良レスポンダＲＸセクタとして識別して良い。
【００１８】
幾つかの実施形態では、イニシエータＲＸＳＳ２２６に続き、レスポンダは、レスポンダＲＸＳＳ２２８の間に一連のセクタスイープフレームを送信して良い。種々の実施形態では、レスポンダＲＸＳＳ２２８の間に、レスポンダは、それぞれが送信セクタトレーニング段階２０１の間に識別されたレスポンダＴＸセクタを使用する複数のセクタスイープフレームを送信して良い。幾つかの実施形態では、各々のこのようなセクタスイープフレームは、イニシエータＲＸＳＳ２２６の間に決定された最良レスポンダＲＸセクタに対応する品質レベルを示して良い。種々の実施形態では、イニシエータは、各々のこのようなセクタスイープフレームの送信中に異なる個々のＲＸセクタを監視して良く、自身が受信に成功した各々のセクタスイープフレームを自身が受信する個々の品質レベルを測定して良い。幾つかの実施形態では、イニシエータは、高品質レベルで受信したセクタスイープフレームを識別し、該セクタスイープフレームの受信のときに監視されるイニシエータＲＸセクタを、最良イニシエータＲＸセクタとして識別して良い。種々の実施形態では、レスポンダＲＸＳＳ２２８に続き、イニシエータは、セクタスイープフィードバックフレーム２３０を送信して良い。幾つかの実施形態では、セクタスイープフィードバックフレーム２３０は、レスポンダＲＸＳＳ２２８の間に決定された最良イニシエータＲＸセクタに対応する品質レベルを示して良い。幾つかの実施形態では、レスポンダは、セクタスイープ肯定応答フレーム２３２を送信することにより、セクタスイープフレームフィードバックフレーム２３０に応答して良い。実施形態は、この文脈に限定されない。
【００１９】
図２Ｂは、６０ＧＨｚ可能装置１０２及び１０４がビームフォーミングされた６０ＧＨｚリンク１０６及び１０８のリンク品質を最適化するよう最良ＴＸ及びＲＸセクタを識別するために、種々の実施形態において実行し得る別のビームフォーミングトレーニング手順の典型であり得る通信フロー２５０を示す。通信フロー２５０では、図２Ａの受信セクタトレーニング段階２２１は、ビーム微調整段階２５１により置き換えられる。ビーム微調整段階２５１は、通常、反復処理を有し、反復処理の間に、イニシエータ及びレスポンダは、最良イニシエータ及びレスポンダＲＸセクタを識別するために、一連のビーム微調整フレームを交換して良い。図２Ａの例では、イニシエータ及びレスポンダは、ビーム微調整段階２５１の間に、ビーム微調整（ＢＲ）フレーム２５２、２５４、２５６、２５８、２６０、及び２６２を交換する。種々の実施形態では、イニシエータ及びレスポンダは、種々のビーム微調整フレーム２５２、２５４、２５６、２５８、２６０、及び２６２を使用して、互いからビーム微調整受信トレーニングを要求し及びそのような要求に応答して互いに対してビーム微調整受信トレーニングを提供して良い。実施形態は、この例に限定されない。
【００２０】
幾つかの実施形態では、最良イニシエータＴＸセクタは、最良イニシエータＲＸセクタと実質的に同じ方向に対応すること、及び最良レスポンダＴＸセクタは、最良レスポンダＲＸセクタと実質的に同じ方向に対応すること、が一般的であって良い。したがって、図２Ａ及び２Ｂに示すようなビームフォーミングトレーニング手順に関し、受信セクタトレーニング段階２２１又はビーム微調整段階２５１により選択されるイニシエータ及びレスポンダＲＸセクタが、送信セクタトレーニング段階２０１により選択されるイニシエータ及びレスポンダＴＸセクタとそれぞれ実質的に同じ方向に対応するイニシエータ及びレスポンダＲＸセクタであることが一般的であり得る。種々の実施形態では、このような状態は、イニシエータからレスポンダへの送信のための最適経路が、レスポンダからイニシエータへの送信のための最適経路と実質的に同じであるシナリオを反映して良い。以後、用語「ビームフォーミング相反性（beamforming  reciprocity）」は、条件を示すために用いられ、該条件に従い、最良ＴＸ及びＲＸセクタが実質的に同じ方向に対応し及び最良レスポンダＴＸ及びＲＸセクタが実質的に同じ方向に対応する。用語「相反性（reciprocal）ＲＸセクタ」は、所与の装置のＴＸセクタに関し、該ＴＸセクタと実質的に同じ方向に対応する該装置のＲＸセクタを示すために用いられる。用語「相反性（reciprocal）ＴＸセクタ」は、所与の装置のＲＸセクタに関し、該ＲＸセクタと実質的に同じ方向に対応する該装置のＴＸセクタを示すために用いられる。
【００２１】
図３は、ビームフォーミング相反性の典型となり得る動作環境３００の一例を示す。動作環境３００では、イニシエータ３０２は、レスポンダ３０４向けのデータを有する信号３０６を送信し、レスポンダ３０４は、イニシエータ３０２向けのデータを有する信号３０８を送信する。イニシエータ３０２は、自身の６個のＴＸセクタＩ＿ＴｘＳ１乃至Ｉ＿ＴｘＳ６のうちの選択した１つに向けて、信号３０６を指向送信し、並びに、自身の６個のＲＸセクタＩ＿ＲｘＳ１乃至Ｉ＿ＲｘＳ６のうちの選択した１つに向けて自身の受信ビームを方向付けることにより、信号３０８を指向受信する。同様に、レスポンダ３０４は、自身の６個のＴＸセクタＲ＿ＴｘＳ１乃至Ｒ＿ＴｘＳ６のうちの選択した１つに向けて、信号３０８を指向送信し、並びに、自身の６個のＲＸセクタＲ＿ＲｘＳ１乃至Ｒ＿ＲｘＳ６のうちの選択した１つに向けて自身の受信ビームを方向付けることにより、信号３０６を指向受信する。留意すべきことに、イニシエータ３０２及び／又はレスポンダ３０４は、幾つかの実施形態ではより多くの又は少ないＴＸ及び／又はＲＸセクタを有して良く、及び実施形態は本例に限定されない。
【００２２】
動作環境３００では、イニシエータ３０２とレスポンダ３０４との間の直接経路は、遮るものがない。この直接経路は遮るものがないので、イニシエータ３０２が概して直接経路に対応するイニシエータＴＸセクタＩ＿ＴｘＳ２へ向けて信号３０６を送信した場合、信号３０６は最高エネルギレベルでレスポンダ２０４に到達でき、並びに、レスポンダ３０４が該信号を概して直接経路に対応するレスポンダＲＸセクタＲ＿ＲｘＳ５により受信した場合、レスポンダ３０４は信号３０６を最高受信電力レベルで受信できる。したがって、セクタＩ＿ＴｘＳ２は最良イニシエータＴＸセクタを有して良く、セクタＲ＿ＲｘＳ５は最良レスポンダＲＸセクタを有して良い。同様に、レスポンダ３０４が概して直接経路に対応するレスポンダＴＸセクタＲ＿ＴｘＳ５へ向けて信号３０８を送信した場合、信号３０８は最高エネルギレベルでイニシエータ３０２に到達でき、並びに、イニシエータ３０２が該信号を概して直接経路に対応するイニシエータＲＸセクタＩ＿ＲｘＳ２により受信した場合、イニシエータ３０２は信号３０８を最高受信電力レベルで受信できる。したがって、セクタＲ＿ＴｘＳ５は最良レスポンダＴＸセクタを有して良く、セクタＩ＿ＲｘＳ２は最良イニシエータＲＸセクタを有して良い。イニシエータＲＸセクタＩ＿ＲｘＳ２は、イニシエータＴＸセクタＩ＿ＴｘＳ２と実質的に同じ方向に対応し、並びに、レスポンダＴＸセクタＲ＿ＲｘＳ５は、レスポンダＲＸセクタＲ＿ＲｘＳ５と実質的に同じ方向に対応する。このように、イニシエータ３０２の最良ＴＸ及びＲＸセクタは実質的に同じ方向に対応して良く、レスポンダ３０４の最良ＴＸ及びＲＸセクタも実質的に同じ方向に対応して良い。したがって、ビームフォーミング相反性が動作環境３００に存在し得る。実施形態は、この例に限定されない。
【００２３】
図２Ａ及び２Ｂを参照すると、ビームフォーミング相反性が存在する種々の実施形態において、イニシエータ及びレスポンダは、受信セクタトレーニング段階２２１又はビーム微調整段階２５１の必要無しに、それらの個々の最良ＲＸセクタを自律的に正しく選択できる。より具体的には、ビームフォーミング相反性が存在すると仮定すると、イニシエータは、自身の最良ＲＸセクタを、送信セクタトレーニング段階２０１中に識別されたような最良イニシエータＴＸセクタに実質的に対応するとして正しく選択でき、並びに、レスポンダは、自身の最良ＲＸセクタを、送信セクタトレーニング段階２０１中に識別されたような最良レスポンダＴＸセクタに実質的に対応するとして正しく選択できる。このように、ビームフォーミング相反性が存在する場合、イニシエータ及びレスポンダにとって、受信セクタトレーニング段階２２１又はビーム微調整段階２５１をスキップすることが望ましいことがある。しかしながら、送信セクタトレーニング段階２０１の完了のときに、イニシエータ及びレスポンダは、ビームフォーミング相反性が実際に存在したか否かを知る術がないことがある。さらに、ビームフォーミング相反性は一般的シナリオであり得るが、イニシエータ及びレスポンダにとって、ビームフォーミング相反性を想定することが望ましくない場合がある。なぜなら、この想定は、それが正しくない場合に低リンク品質又はリンク障害を生じる場合があるからである。
【００２４】
図４は、ビームフォーミング相反性の誤った想定が低リンク品質又はリンク障害を生じ得るシナリオの代表例を有し得る動作環境４００を示す。動作環境４００では、イニシエータ３０２及びレスポンダ３０４は、壁４０２及び４０４の間に位置する。イニシエータ３０２及びレスポンダ３０４の間の直接経路は、障害物４０６により遮られている。結果として、一方からの送信は、直接経路ではなく反射経路を伝搬する場合に、より高エネルギレベルで他方に到達し得る。イニシエータ３０２及びレスポンダ３０４は、図２Ａ及び２Ｂの送信セクタトレーニング段階２０１により例示されたような送信セクタトレーニングを実行することにより、それら個々のＴＸセクタを選択している。イニシエータ３０２は、壁４０２からの反射を利用する反射送信経路４０８に実質的に対応するイニシエータＴＸセクタ（図４に示さない）を選択している。レスポンダ３０４は、壁４０４からの反射を利用する反射送信経路４１０に実質的に対応するレスポンダＴＸセクタ（図４に示さない）を選択している。
【００２５】
動作環境４００では、イニシエータ３０２が反射経路４０８に沿って送信する信号は、レスポンダ３０４が反射送信経路４１０に沿って信号を送信する方向と実質的に異なる方向からレスポンダ３０４に到着する。したがって、レスポンダ３０４にとっての実際の最良ＲＸセクタは、レスポンダ３０４にとっての最良ＴＸセクタと実質的に異なる方向に対応して良い。同様に、レスポンダ３０４が反射経路４１０に沿って送信する信号は、イニシエータ３０２が反射送信経路４０８に沿って信号を送信する方向と実質的に異なる方向からイニシエータ３０２に到着する。したがって、イニシエータ３０２にとっての実際の最良ＲＸセクタは、イニシエータ３０２にとっての最良ＴＸセクタと実質的に異なる方向に対応して良い。このように、ビームフォーミング相反性は、動作環境４００に存在しなくて良い。
【００２６】
イニシエータ３０２は、ビームフォーミング相反性を想定する場合、通常、出（outgoing）反射送信経路４０８の方向と実質的に同じ方向に、したがって入（incoming）反射送信経路４１０の方向と離れて、自身の受信ビームをフォーカスするイニシエータＲＸセクタ４１２を選択し得る。これは、場合によってはイニシエータ３０２がレスポンダ３０４から送信を受信できる電力を有意に低減することがあり、結果として、低いレスポンダ−イニシエータリンク品質又はレスポンダ−イニシエータリンク障害を生じることがある。同様に、レスポンダ３０４は、ビームフォーミング相反性を想定する場合、通常、出反射送信経路４１０の方向と実質的に同じ方向に、したがって入反射送信経路４０８の方向と離れて、自身の受信ビームをフォーカスするレスポンダＲＸセクタ４１４を選択して良い。これは、場合によってはレスポンダ３０４がイニシエータ３０２から送信を受信できる電力を有意に低減することがあり、結果として、低いイニシエータ−レスポンダリンク品質又はイニシエータ−レスポンダリンク障害を生じることがある。実施形態は、この例に限定されない。
【００２７】
本願明細書には、ビームフォーミングトレーニングのための相反性検出及び利用技術が開示される。幾つかのこのような技術によると、拡張ビームフォーミングトレーニングプロトコルが実装されて、ビームフォーミング相反性が存在しないときのリンク品質を最適化する能力を犠牲にすることなく、ビームフォーミング相反性が存在するときに、無線装置がビームフォーミングトレーニングをより効率的に実行できるようにし得る。種々の実施形態では、イニシエータ及びレスポンダがそれらの個々のＴＸセクタを選択すると、それらは、ビームフォーミング相反性が存在するか否かを決定するために、ビームフォーミング相反性テストを実行して良い。幾つかの実施形態では、ビームフォーミング相反性テストは、４ウェイハンドシェイクを有して良い。種々の実施形態では、ビームフォーミング相反性が存在するという決定に応答して、イニシエータ及びレスポンダは、それらの個々のＴＸセクタと同じ方向に実質的に対応するＲＸセクタを選択して良い。幾つかの実施形態では、ビームフォーミング相反性が存在しないという決定に応答して、イニシエータ及びレスポンダは、それらの個々のＲＸセクタを選択するために、追加ビームフォーミングトレーニングを実行して良い。実施形態は、この文脈に限定されない。
【００２８】
図５は、イニシエータ及びレスポンダがビームフォーミングトレーニングのための相反性検出及び利用技術を実装する種々の実施形態の代表であって良い通信フロー５００を示す。通信フロー５００では、図２Ａ及び２Ｂの通信フロー２００及び２５０におけるように、イニシエータ及びレスポンダは、それら個々の最良ＴＸセクタを識別するために送信セクタトレーニング段階２０１の間に通信を交換する。しかしながら、通信フロー５００では、送信セクタトレーニング段階２０１に続き、初期変調及び符号化方式（modulation  and  coding  scheme：ＭＣＳ）選択交換５０１が、ビームフォーミング相反性テストとして使用される。初期ＭＣＳ選択交換５０１の開始により、イニシエータ及びレスポンダは、それら個々のＴＸセクタと実質的に同じ方向に対応するＲＸセクタを用いて指向受信モードに入り、レスポンダは、カウンタを開始し、イニシエータからの送信を受信するために待機する。
【００２９】
初期ＭＣＳ選択交換５０１の始めに、イニシエータは、自身の最良ＴＸセクタに向けて、リンク測定要求（link  measurement  request：ＬＭＲＱ）フレーム５０２を指向送信する。レスポンダは、ＬＭＲＱフレーム５０２を受信した場合、肯定応答（ＡＣＫ）フレーム５０４及びリンク測定応答（link  measurement  response：ＬＭＲＳＰ）フレーム５０６を自身の最良ＴＸセクタに向けて指向送信することにより応答する。イニシエータは、ＬＭＲＳＰフレーム５０６を受信した場合、ＬＭＲＳＰフレーム５０８により応答する。ＬＭＲＱフレーム５０２、ＡＣＫフレーム５０４、ＬＭＲＳＰフレーム５０６、及びＬＭＲＳＰフレーム５０８の交換を含むこの４ウェイハンドシェイクにより、イニシエータ及びレスポンダは、後続のデータ送信のために使用すべきＭＣＳを識別できる。これは、イニシエータ及びレスポンダがそれら個々のＴＸセクタと実質的に同じ方向に対応するＲＸセクタを用いて指向受信モードで動作している間に実行されるので、４ウェイハンドシェイクの成功は、ビームフォーミング相反性の存在も確認できる。
【００３０】
幾つかの実施形態では、イニシエータは、自身がＬＭＲＳＰフレーム５０６を受信するＳＮＲのような品質レベルを測定して良い。種々の実施形態では、イニシエータは、この品質レベルを、自身がレスポンダＴＸＳＳ２０８の間にセクタスイープフレームを受信したＳＮＲのような最良品質レベルと比較して良い。幾つかの実施形態では、この比較を実行する際に、イニシエータは、レスポンダＴＸＳＳ２０８の間にセクタスイープフレームを受信するために使用される全方位受信モードに関連するアンテナアレイ利得と、ＬＭＲＳＰフレーム５０６を受信するために使用される指向受信モードに関連するアンテナアレイ利得との間の差を考慮して良い。種々の実施形態では、個々の品質レベルの間の差が閾より大きい場合、ビームフォーミング相反性が確認される。幾つかの実施形態では、ビームフォーミング相反性が確認されない場合、イニシエータは、図２Ａの受信セクタトレーニング段階２２１のような受信セクタトレーニングを開始するために許可フレームを送信して良く、又は、図２Ｂのビーム微調整段階２５１のような受信アレイトレーニングの何らかの他の形式を開始して良い。実施形態は、この文脈に限定されない。
【００３１】
レスポンダは、自身のカウンタがタイムアウト値に達するときまでにＬＭＲＱ５０２を受信しなかった場合、ビームフォーミング相反性が存在しないことを決定し、指向受信モードを終了し、全方位受信モードに戻って良い。ＬＭＲＱ５０２に対する応答を受信していないイニシエータは、ビームフォーミング相反性が存在しないことを決定し、図２Ａの受信セクタトレーニング段階２２１のような受信セクタスイープを開始するために許可フレームを送信して良い。全方位受信モードに戻ったレスポンダは許可フレームの受信に成功でき、イニシエータ及びレスポンダは、それら個々の最良ＲＸセクタを識別するために受信セクタスイープに進んで良い。留意すべきことに、種々の実施形態において、イニシエータは、送信セクタトレーニング段階２０１が完了するとき、送信機会（transmission  opportunity：ＴＸＯＰ）を有しなくて良い。したがって、イニシエータのＬＭＲＱ５０２の送信は、イニシエータが無線媒体にアクセスできるよう、イニシエータがＴＸＯＰを取得できるまで、遅延されて良い。幾つかの実施形態では、ビームフォーミング相反性が存在するが、イニシエータがＴＸＯＰを取得する前に、レスポンダにおいてタイムアウト値に達した場合、レスポンダは、ビームフォーミング相反性が存在しないことを誤って決定する場合があり、４ウェイハンドシェイクは失敗し得る。したがって、種々の実施形態では、レスポンダにおけるタイムアウト値は、ＴＸＯＰ取得に関連する標準的遅延が４ウェイハンドシェイクを失敗させる程度に十分な大きくならないよう、十分に高いことが望ましい。
【００３２】
幾つかの実施形態では、送信セクタトレーニング段階２０１の前に及び／又はその間に、イニシエータ及びレスポンダは、能力情報を交換して良い。種々の実施形態では、例えば、イニシエータ及びレスポンダは、それら個々の能力を記述する情報を含むＤＭＧ能力情報フィールドを有する管理フレームを交換して良い。幾つかの実施形態では、交換した能力情報は、イニシエータ及びレスポンダがビームフォーミング相反性テストをサポートするか否かを示して良い。種々の実施形態では、例えば、イニシエータは、レスポンダがビームフォーミング相反性テストをサポートするか否かを示すＤＭＧアンテナパターン相反性ビットを含むＤＭＧ能力情報フィールドを有する管理フレームを受信して良く、並びに、レスポンダは、イニシエータがビームフォーミング相反性テストをサポートするか否かを示すＤＭＧアンテナパターン相反性ビットを含むＤＭＧ能力情報フィールドを有する管理フレームを受信して良い。幾つかの実施形態では、交換した能力情報が、イニシエータ及びレスポンダの両方がビームフォーミング相反性テストをサポートすることを示す場合、それらは、送信セクタトレーニング段階２０１に続きビームフォーミング相反性のテストを自動的に開始して良い。このような実施形態では、レスポンダは、送信セクタトレーニング段階２０１に続き、指向受信モードに自動的に入って良い。
【００３３】
交換した能力情報がイニシエータ及びレスポンダの両方がビームフォーミング相反性テストをサポートすることを示す種々の他の実施形態では、ビームフォーミング相反性のテストが送信セクタトレーニング段階２０１に続くことを決定するのは、イニシエータであって良い。幾つかのこのような実施形態では、イニシエータは、送信セクタトレーニング段階２０１に続き指向受信モードに入るようレスポンダに指示するために、レスポンダへ指向受信命令を送信する必要があって良い。種々の実施形態では、イニシエータは、指向受信命令を許可フレーム２０２に含めて良い。幾つかの実施形態では、指向受信命令は、許可フレーム２０２のビームフォーミング制御フィールドに含まれて良い。種々の実施形態では、指向受信命令は、ビームフォーミング制御フィールド内の指定ビットの値を有して良い。幾つかの実施形態では、レスポンダは、許可肯定応答フレーム２０４のビームフォーミング制御フィールドの中の対応する指定ビットの値を設定することにより、指向受信命令に肯定応答して良い。種々の実施形態では、イニシエータは、指向受信命令をセクタスイープフィードバックフレーム２１０に含めて良い。幾つかの実施形態では、指向受信命令は、セクタスイープフィードバックフレーム２１０のセクタスイープフィードバックフィールドに含まれて良い。種々の実施形態では、指向受信命令は、セクタスイープフィードバックフィールド内の指定ビットの値を有して良い。幾つかの実施形態では、レスポンダは、セクタスイープ肯定応答フレーム２１２のセクタスイープフィードバックフィールドの中の対応する指定ビットの値を設定することにより、指向受信命令に肯定応答して良い。
【００３４】
種々の実施形態では、イニシエータは、送信セクタトレーニング段階２０１の完了後まで、指向受信命令をレスポンダへ送信しなくて良い。例えば、幾つかの実施形態では、イニシエータは、送信セクタトレーニング段階２０１に続いて送信する許可フレーム５１０に、指向受信命令を含めて良い。種々の実施形態では、指向受信命令は、許可フレーム５１０のビームフォーミング制御フィールドに含まれて良い。幾つかの実施形態では、指向受信命令は、ビームフォーミング制御フィールド内の指定ビットの値を有して良い。種々の実施形態では、レスポンダは、許可フレーム５１０に応答して送信する許可肯定応答フレーム５１２のビームフォーミング制御フィールドの中の対応する指定ビットの値を設定することにより、指向受信命令に肯定応答して良い。
【００３５】
幾つかの実施形態では、許可肯定応答フレーム５１２の受信に続き、イニシエータは、初期ＭＣＳ選択交換５０１を開始して良い。種々の実施形態では、初期ＭＣＳ選択交換５０１の代わりに、イニシエータは、データＭＣＳを使用する別の種類の交換を開始して良い。幾つかの実施形態では、許可フレーム５１０は、レスポンダによる使用のためのタイムアウト値を指定する期間フィールドを有して良い。種々の実施形態では、イニシエータは、自身の許可肯定応答フレーム５１２の受信に続く交換の完了を可能にするために、期間フィールドを十分大きな値に設定して良い。幾つかの実施形態では、レスポンダは、許可フレーム５１０の受信に応答してカウンタを開始して良く、カウンタが許可フレーム５１０内の期間フィールドに含まれる値に達するときまでにイニシエータからパケットを受信しなかった場合、レスポンダは、全方位受信モードに戻って良い。種々の実施形態では、イニシエータは、許可肯定応答フレーム５１２の受信に続く交換の間に正しい応答を受信しない場合、図２Ａの受信セクタトレーニング段階２２１のような受信セクタスイープを開始して良い。実施形態は、この文脈に限定されない。
【００３６】
図６は、イニシエータ及びレスポンダがビームフォーミングトレーニングのための相反性検出及び利用技術を実装する幾つかの実施形態の代表であって良い通信フロー６００を示す。より具体的に、通信フロー６００は、種々の実施形態において、イニシエータ及びレスポンダの間に予め確立された接続が存在する該イニシエータ及びレスポンダにより利用され得る簡易ビームフォーミングトレーニング手順の代表であり得る。幾つかの実施形態では、イニシエータ及びレスポンダは、予め交換した能力情報がそれら両者がビームフォーミング相反性テストをサポートすることを示す場合、このような簡易ビームフォーミングトレーニング手順を自動的に利用して良い。イニシエータ及びレスポンダの両方がビームフォーミング相反性テストをサポートする種々の他の実施形態では、イニシエータは、簡易ビームフォーミングトレーニング手順が使用されるべきであることをレスポンダに指示して良い。幾つかの実施形態では、イニシエータは、初期ビームフォーミングトレーニング手順及びビームフォーミング相反性テストの過程の間に、この命令をレスポンダに提供して良い。例えば、種々の実施形態では、イニシエータは、この命令を許可フレーム２０２、セクタスイープフィードバックフレーム２１０、又は図５の許可フレーム５１０に含めて良い。幾つかの他の実施形態では、イニシエータは、簡易ビームフォーミングトレーニング手順と連携して、この命令をレスポンダに提供して良い。実施形態は、この文脈に限定されない。
【００３７】
図６に示すように、種々の実施形態では、通信フロー６００は、簡易送信セクタトレーニング段階６０１、及び簡易受信セクタトレーニング段階６２１を有して良い。幾つかの実施形態では、簡易送信セクタトレーニング段階６０１は、イニシエータが許可フレーム６０２を送信することで開始して良い。該許可フレーム６０２に対して、レスポンダは、許可肯定応答フレーム６０４を送信することにより応答して良い。種々の実施形態では、イニシエータは、簡易ビームフォーミングトレーニング手順を実行するようレスポンダに指示するために、簡易ビームフォーミングトレーニング命令を許可フレーム６０２に含めて良い。幾つかの実施形態では、簡易ビームフォーミングトレーニング命令は、許可フレーム６０２のビームフォーミング制御フィールドに含まれて良い。種々の実施形態では、簡易ビームフォーミングトレーニング命令は、ビームフォーミング制御フィールド内の指定ビットの値を有して良い。幾つかの実施形態では、レスポンダは、許可肯定応答フレーム６０４のビームフォーミング制御フィールドの中の対応する指定ビットの値を設定することにより、簡易ビームフォーミングトレーニング命令に肯定応答して良い。種々の実施形態では、許可肯定応答フレーム６０４の受信に続き、イニシエータは、イニシエータＴＸＳＳ６０６の間に、一連のセクタスイープフレームを送信して良い。幾つかの実施形態では、イニシエータ及びレスポンダは、許可フレーム６０２及び許可肯定応答フレーム６０４を交換しなくて良く、簡易送信セクタトレーニング段階６０１はイニシエータＴＸＳＳ６０６で開始して良い。実施形態は、この文脈に限定されない。
【００３８】
種々の実施形態では、イニシエータＴＸＳＳ６０６の間に、イニシエータは、それぞれが複数のイニシエータＴＸセクタのうちの個々の１つに向かう複数のセクタスイープフレームを送信して良い。幾つかの実施形態では、各々のこのようなセクタスイープフレームは、それが送信されるイニシエータＴＸセクタのセクタＩＤを含んで良い。種々の実施形態では、レスポンダは、全方位又は準全方位受信アンテナ構成を用いて送信されるセクタスイープフレームを傾聴して良く、自身が受信に成功した各々のセクタスイープフレームを自身が受信する個々の品質レベルを測定して良い。幾つかの実施形態では、レスポンダは、高品質レベルで受信したセクタスイープフレームを識別し、セクタスイープフレームに含まれるセクタＩＤに関連付けられるイニシエータＴＸセクタを最良イニシエータＴＸセクタとして識別して良い。種々の実施形態では、図２Ａの通信フロー２００の中でイニシエータＴＸＳＳに続きレスポンダＴＸＳＳを実行するのではなく、レスポンダは、イニシエータＴＸＳＳ６０６に続き、単一のセクタスイープフレーム６０８を送信して良い。幾つかの実施形態では、セクタスイープフレーム６０８は、最良イニシエータＴＸセクタのセクタＩＤ、及び該セクタＩＤを有するセクタスイープフレームがレスポンダにおいて受信された品質レベルの指示子を含んで良い。種々の実施形態では、レスポンダは、初期ビームフォーミングトレーニング手順の間に予め選択されたレスポンダＴＸセクタのような予め選択されたレスポンダＴＸセクタに向けて、セクタスイープフレーム６０８を送信して良い。レスポンダが許可肯定応答フレーム６０４を送信する幾つかの実施形態では、レスポンダは、許可肯定応答６０４及びセクタスイープフレーム６０８の両方を、予め選択されたレスポンダＴＸセクタへ向けて送信して良い。種々の実施形態では、イニシエータは、セクタスイープフィードバックフレーム６１０を送信することにより、セクタスイープフレーム６０８に応答して良く、レスポンダは、セクタスイープ肯定応答フレーム６１２を送信することにより、セクタスイープフィードバックフレーム６１０に応答して良い。実施形態は、この文脈に限定されない。
【００３９】
幾つかの実施形態では、セクタスイープ肯定応答フレーム６１２の受信に続き、イニシエータは、簡易受信セクタトレーニング段階６２１を開始して良い。種々の実施形態では、イニシエータは、許可フレーム６２２を送信することにより、簡易受信セクタトレーニング段階６２１を開始して良い。該許可フレーム６２２に対して、レスポンダは、許可肯定応答フレーム６２４を送信することにより応答して良い。幾つかの実施形態では、許可フレーム６２２及び許可肯定応答フレーム６２４は、それぞれ許可フレーム６０２及び許可肯定応答フレーム６０４と同じ又は同様であって良い。種々の実施形態では、許可肯定応答フレーム６２４の受信に続き、イニシエータは、イニシエータＲＸＳＳ６２６の間に、一連のセクタスイープフレームを送信して良い。幾つかの実施形態では、イニシエータ及びレスポンダは、許可フレーム６２２及び許可肯定応答フレーム６２４を交換しなくて良く、簡易受信セクタトレーニング段階６２１はイニシエータＲＸＳＳ６２６で開始して良い。種々の実施形態では、イニシエータＲＸＳＳ６２６の間に、イニシエータは、それぞれが簡易送信セクタトレーニング段階６０１の間に識別された最良イニシエータＴＸセクタに向かう複数のセクタスイープフレームを送信して良い。イニシエータが許可フレーム６２２を送信する幾つかの実施形態では、イニシエータは、該最良イニシエータＴＸセクタへ向けて送信許可フレーム６２２も送信して良い。実施形態は、この文脈に限定されない。
【００４０】
種々の実施形態では、レスポンダは、イニシエータＲＸＳＳ６２６の複数のセクタスイープフレームの各々の送信中に異なる個々のＲＸセクタを監視して良く、自身が受信に成功した各々のセクタスイープフレームを自身が受信する個々の品質レベルを測定して良い。幾つかの実施形態では、レスポンダは、高品質レベルで受信したセクタスイープフレームを識別し、該セクタスイープフレームの受信のときに監視されるレスポンダＲＸセクタを、最良レスポンダＲＸセクタとして識別して良い。種々の実施形態では、図２Ａの通信フロー２００の中でイニシエータＲＸＳＳに続きレスポンダＲＸＳＳを実行するのではなく、レスポンダは、イニシエータＲＸＳＳ６２６に続き、単一のセクタスイープフレーム６２８を送信して良い。幾つかの実施形態では、レスポンダは、最良ＲＸセクタに実質的に対応するレスポンダＴＸセクタへ向けて、又は予め分かっている最良レスポンダＴＸセクタに向けて、セクタスイープフレーム６２８を送信して良い。種々の実施形態では、イニシエータは、セクタスイープフィードバックフレーム６３０を送信することにより、セクタスイープフレーム６２８に応答して良く、レスポンダは、セクタスイープ肯定応答フレーム６３２を送信することにより、セクタスイープフィードバックフレーム６３０に応答して良い。実施形態は、この文脈に限定されない。
【００４１】
上述の実施形態についての動作は、以下の図面及び付随する例を参照して更に記載される。図面のうちの幾つかは、論理フローを含む場合がある。本願明細書において提示されるこのような図面は特定の論理フローを含む場合があるが、論理フローは、単に本願明細書に記載の全体的機能がどのように実装され得るかの一例を提供することが理解される。さらに、所与の論理フローは、特に断らない限り、必ずしも、提示された順序で実行される必要がない。さらに、所与の論理フローは、ハードウェア要素、プロセッサにより実行されるソフトウェア要素、又はそれらの任意の組合せにより実施されて良い。実施形態は、この文脈に限定されない。
【００４２】
図７は、ビームフォーミングトレーニングのための相反性検出及び利用技術の実施と関連する種々の実施形態においてビームフォーミングトレーニングイニシエータにより実行され得る動作の代表であり得る論理フロー７００の一実施形態を示す。例えば、論理フロー７００は、図５の通信フロー５００においてイニシエータとして動作することに関連し、図１の６０ＧＨｚ可能装置１０２又は６０ＧＨｚ可能装置１０４により実行され得る動作の代表であって良い。図７に示すように、７０２で、イニシエータ送信セクタスイープは、イニシエータ送信セクタを選択するために、実行されて良い。例えば、図５の通信フロー５００におけるイニシエータは、自身の送信セクタを選択するために、イニシエータＴＸＳＳ２０６を実行して良い。７０４で、ビームフォーミング相反性テストは、選択されたイニシエータ送信セクタを使用して実行されて良い。例えば、図５の通信フロー５００におけるイニシエータは、自身の送信セクタとして、自身がレスポンダＴＸＳＳ２０８の間に受信したセクタスイープフレームに含まれるセクタＩＤに対応する送信セクタを選択して良く、初期ＭＣＳ選択交換５０１を有するビームフォーミング相反性テストを実行して良い。これに従い、イニシエータは、自身の選択した送信セクタに向けて自身がＬＭＲＱフレーム５０２を送信して良い。
【００４３】
７０６で、７０４におけるビームフォーミング相反性テストの結果に基づきイニシエータ送信セクタの相反性イニシエータ受信セクタを用いて指向受信が実行されるべきか否かが決定されて良い。例えば、図５の通信フロー５００におけるイニシエータは、初期ＭＣＳ選択交換５０１が成功したか否かに基づき、自身の選択した送信セクタの相反性受信セクタにより指向受信すべきか否かを決定して良い。７０６において相反性イニシエータ受信セクタをイニシエータ送信セクタのために使用して指向受信が実行されるべきであると決定された場合、フローは７０８に進み、相反性イニシエータ受信セクタに対応する受信アンテナパターンを用いて指向データ送信が受信されて良い。例えば、イニシエータの選択した送信セクタのための相反性受信セクタにより指向受信するという決定に続き、図５の通信フロー５００におけるイニシエータは、自身の選択した送信セクタの相反性受信セクタに対応する受信アンテナパターンを用いて、レスポンダからの指向データ送信を受信して良い。
【００４４】
７０６においてイニシエータ送信セクタの相反性イニシエータ受信セクタを用いて指向受信が実行されないことが決定された場合、フローは７１０に進み、イニシエータ受信セクタが選択されて良い。例えば、イニシエータの選択した送信セクタの相反性受信セクタにより指向受信しないという決定に応答して、図５の通信フロー５００におけるイニシエータは、受信セクタを選択するために、図２Ａの受信セクタトレーニング段階２２１又は図２Ｂのビーム微調整段階２５１を開始して良い。７１２で、指向データ送信は、選択したイニシエータ受信セクタに対応する受信アンテナパターンを用いて受信されて良い。例えば、図５の通信フロー５００におけるイニシエータは、７１０で選択された受信セクタに対応する受信アンテナパターンを用いてレスポンダから指向データ送信を受信して良い。実施形態は、これらの例に限定されない。
【００４５】
図８は、ビームフォーミングトレーニングのための相反性検出及び利用技術の実施と関連する幾つかの実施形態においてビームフォーミングトレーニングレスポンダにより実行され得る動作の代表であり得る論理フロー８００の一実施形態を示す。例えば、論理フロー８００は、図５の通信フロー５００においてレスポンダとして動作することに関連し、図１の６０ＧＨｚ可能装置１０２又は６０ＧＨｚ可能装置１０４により実行され得る動作の代表であって良い。図８に示すように、８０２で、レスポンダ送信セクタスイープは、レスポンダ送信セクタを選択するために、実行されて良い。例えば、図５の通信フロー５００におけるレスポンダは、自身の送信セクタを選択するために、レスポンダＴＸＳＳ２０８を実行して良い。８０４で、指向受信モードは、受信した指向受信命令に応答して、レスポンダ送信セクタの相反性レスポンダ受信セクタを用いて開始されて良い。例えば、受信した指向受信命令に応答して、図５の通信フロー５００におけるレスポンダは、自身の選択した送信セクタの相反性受信セクタを用いて、指向受信モードを開始して良い。
【００４６】
留意すべきことに、種々の実施形態では、ブロック８０４の受信した指向受信命令は、８０２におけるレスポンダ送信セクタスイープの実行の前に受信されていて良い。例えば、図５の通信フロー５００におけるレスポンダは、許可フレーム２０２に含まれる指向受信命令に応答して、自身の選択した送信セクタの相反性受信セクタを用いて、指向受信モードを開始して良い。幾つかの他の実施形態では、８０２におけるレスポンダ送信セクタスイープは、ブロック８０４の指向受信命令の受信の前に実行されて良い。例えば、図５の通信フロー５００におけるレスポンダは、セクタスイープフィードバックフレーム２１０又は許可フレーム５１０に含まれる指向受信命令に応答して、自身の選択した送信セクタの相反性受信セクタを用いて、指向受信モードを開始して良い。更に他の実施形態では、相反性レスポンダ受信セクタは、受信した指向受信命令に応答してではなく、８０２におけるレスポンダ送信セクタスイープ中のイニシエータ及びレスポンダの両者がビームフォーミング相反性テストをサポートするという決定に基づき、８０４で指向受信モードに入ることに関連して使用されて良い。例えば、図５の通信フロー５００におけるレスポンダは、イニシエータ及びレスポンダの両方がビームフォーミング相反性テストをサポートすることを交換した能力情報が示すという決定に応答して、自身の選択した送信セクタの相反性受信セクタを用いて、指向受信モードを開始して良い。実施形態は、この文脈に限定されない。
【００４７】
８０６で、相反性レスポンダ受信セクタを用いて指向データ受信が実行されるべきか否かが決定されて良い。例えば、図５の通信フロー５００におけるレスポンダは、初期ＭＣＳ選択交換５０１が成功したか否かに基づき、自身の選択した送信セクタの相反性受信セクタにより指向受信すべきか否かを決定して良い。相反性レスポンダ受信セクタを用いてデータを指向受信することが８０６で決定された場合、フローは８０８へ進み、指向データ送信は、相反性レスポンダ受信セクタに対応する受信アンテナパターンを用いて受信されて良い。例えば、初期ＭＣＳ選択交換５０１の成功に応答して、図５の通信フロー５００におけるレスポンダは、自身の選択した送信セクタの相反性受信セクタによりデータを指向受信することを決定して良く、続いて、自身の選択した送信セクタの相反性受信セクタに対応する受信アンテナパターンを用いて、イニシエータからの指向データ送信を受信して良い。
【００４８】
指向データ受信のために相反性レスポンダ受信セクタを使用しないことが８０６で決定された場合、フローは８１０に進み、レスポンダ受信セクタが選択されて良い。例えば、初期ＭＣＳ選択交換５０１の失敗に応答して、図５の通信フロー５００におけるレスポンダは、自身の受信構成を準全方位受信パターンに設定して良く、イニシエータ及びレスポンダは、図２Ａの受信セクタトレーニング段階２２１の通信交換を実行して良く、レスポンダは、イニシエータＲＸＳＳ２２６の間に自身の受信セクタを選択して良い。８１２で、指向データ送信は、選択したレスポンダ受信セクタに対応する受信アンテナパターンを用いて受信されて良い。例えば、図５の通信フロー５００におけるレスポンダは、８１０で選択された受信セクタに対応する受信アンテナパターンを用いてイニシエータから指向データ送信を受信して良い。実施形態は、これらの例に限定されない。
【００４９】
図９は、記憶媒体９００の一実施形態を示す。記憶媒体９００は、光、磁気、又は半導体記憶媒体のような任意の非一時的コンピュータ可読記憶媒体又は機械可読記憶媒体を含み得る。種々の実施形態では、記憶媒体９００は、製品を含み得る。幾つかの実施形態では、記憶媒体９００は、図７の論理フロー７００及び図８の論理フロー８００のうちの一方又は両方を実施するためのコンピュータ実行可能命令のようなコンピュータ実行可能命令を格納して良い。コンピュータ可読記憶媒体又は機械可読記憶媒体の例は、揮発性メモリ若しくは不揮発性メモリ、取り外し可能若しくは取り外し不可能なメモリ、消去可能若しくは消去不可能なメモリ、書き換え可能若しくは書き換え不可能なメモリ等を含む、電子データを格納可能な任意の有形媒体を含み得る。コンピュータ実行可能命令の例は、セキュアコード、コンパイルドコード、インタープリテッドコード、実行コード、スタティックコード、ダイナミックコード、オブジェクト指向コード、ビジュアルコード等のような任意の適切な種類のコードを含み得る。実施形態は、この文脈に限定されない。
【００５０】
図１０は、図１の６０ＧＨｚ可能装置１０２及び１０４、図３及び４のイニシエータ３０２及びレスポンダ３０４、図７の論理フロー７００、図８の論理フロー８００、及び図９の記憶媒体９００のうちの１又は複数を実施し得る通信装置１０００の一実施形態を示す。種々の実施形態では、装置１０００は、論理回路１０２８を有して良い。論理回路１０２８は、例えば図１の６０ＧＨｚ可能装置１０２及び１０４、図３及び４のイニシエータ３０２及びレスポンダ３０４、図７の論理フロー７００、及び図８の論理フロー８００のうちの１又は複数について記載された動作を実行するために物理回路を有して良い。図１０に示すように、装置１０００は、無線インタフェース１０１０、ベースバンド回路１０２０、及びコンピューティングプラットフォーム１０３０を有して良いが、実施形態はこの構成に限定されない。
【００５１】
装置１０００は、図１の６０ＧＨｚ可能装置１０２及び１０４、図３及び４のイニシエータ３０２及びレスポンダ３０４、図７の論理フロー７００、及び図８の論理フロー８００、図９の記憶媒体９００、及び単一装置内に完全に含まれるような単一コンピューティングエンティティ内の論理回路１０２８のうちの１又は複数の構造及び／又は動作のうちの一部又は全部を実施して良い。代替で、装置１０００は、図１の６０ＧＨｚ可能装置１０２及び１０４、図３及び４のイニシエータ３０２及びレスポンダ３０４、図７の論理フロー７００、図８の論理フロー８００、図９の記憶媒体９００、及び論理回路１０２８、のうちの１又は複数の構造及び／又は動作の部分を、クライアントサーバアーキテクチャ、３ティアアーキテクチャ、Ｎティアアーキテクチャ、密結合若しくはクラスタアーキテクチャ、ピアツーピアアーキテクチャ、マスタスレーブアーキテクチャ、共有データベースアーキテクチャ、及び他の種類の分散型システムのような、分散型システムアーキテクチャを用いて、複数のコンピューティングエンティティに渡り分散して良い。実施形態は、この文脈に限定されない。
【００５２】
一実施形態では、無線インタフェース１０１０は、シングルキャリア又はマルチキャリア変調信号（例えば、相補型符号変調信号（complementary  code  keying：ＣＣＫ）、直交周波数分割多重（orthogonal  frequency  division  multiplexing：ＯＦＤＭ）及び／又はシングルキャリア周波数分割多重アクセス（single  carrier  frequency  division  multiple  access：ＳＣ−ＦＤＭＡ）シンボルを含む）を送信し及び／又は受信するよう適応されるコンポーネント又はコンポーネントの組合せを有して良い。しかしながら、実施形態は、いかなる特定の無線インタフェース又は変調方式にも限定されない。無線インタフェース１０１０は、例えば、受信機１０１２、周波数合成器１０１４、及び／又は送信機１０１６を有して良い。無線インタフェース１０１０は、バイアス制御、水晶発振器、及び／又は１又は複数のアンテナ１０１８−ｆを有して良い。別の実施形態では、無線インタフェース１０１０は、必要に応じて、外部電圧制御発振器（voltage−controlled  oscillator：ＶＣＯ）、表面音響波フィルタ、中間周波数（ＩＦ）フィルタ、及び／又はＲＦフィルタを使用しても良い。様々なＲＦインタフェース設計が可能なので、それらの拡張的説明は省略される。
【００５３】
ベースバンド回路１０２０は、受信及び／又は送信信号を処理するために無線インタフェース１０１０と通信して良く、例えば、受信信号をダウンコンバートするアナログ−デジタル変換器１０２２、送信のために信号をアップコンバートするデジタル−アナログ変換器１０２４を有して良い。さらに、ベースバンド回路１０２０は、個々の受信／送信信号の物理レイヤ（ＰＨＹ）処理のために、ベースバンド又はＰＨＹ処理回路１０２６を有して良い。ベースバンド回路１０２０は、例えば、ＭＡＣ／データリンクレイヤ処理のための媒体アクセス制御（ＭＡＣ）処理回路１０２７を有して良い。ベースバンド回路１０２０は、例えば１又は複数のインタフェース１０３４を介して、ＭＡＣ処理回路１０２７及び／又はコンピューティングプラットフォーム１０３０と通信するメモリ制御部１０３２を有して良い。
【００５４】
幾つかの実施形態では、ＰＨＹ処理回路１０２６は、通信フレームを構築し及び／又は分解するために、バッファメモリのような追加回路との組合せで、フレーム構築及び／又は検出モジュールを有して良い。代替又は追加で、ＭＡＣ処理回路１０２７は、これらの機能のうちの処理を確かに共有し、又はこれらの処理をＰＨＹ処理回路１０２６と独立して処理して良い。幾つかの実施形態では、ＭＡＣ及びＰＨＹ処理は、単一の回路に統合されて良い。
【００５５】
コンピューティングプラットフォーム１０３０は、装置１０００のためにコンピューティング機能を提供して良い。図示のように、コンピューティングプラットフォーム１０３０は、処理コンポーネント１０４０を有して良い。ベースバンド回路１０２０に追加して又はその代替で、装置１０００は、図１の６０ＧＨｚ可能装置１０２及び１０４、図３及び４のイニシエータ３０２及びレスポンダ３０４、図７の論理フロー７００、及び図８の論理フロー８００、図９の記憶媒体９００、及び論理回路１０２８のうちの１又は複数の処理動作又はロジックを、処理コンポーネント１０４０を用いて実行して良い。処理コンポーネント１０４０（及び／又はＰＨＹ１０２６及び／又はＭＡＣ１０２７）は、種々のハードウェア要素、ソフトウェア要素又はそれらの組合せを有して良い。ハードウェア要素の例は、装置、論理装置、コンポーネント、プロセッサ、マイクロプロセッサ、回路、プロセッサ回路、回路要素（例えば、トランジスタ、抵抗器、キャパシタ、インダクタ等）、集積回路、ＡＳＩＣ（application  specific  integrated  circuit）、ＰＬＤ（programmable  logic  device）、ＤＳＰ（digital  signal  processor）、ＦＰＧＡ（field  programmable  gate  array）、メモリユニット、論理ゲート、レジスタ、半導体装置、チップ、マイクロチップ、チップセット等を有して良い。ソフトウェア要素の例は、ソフトウェアコンポーネント、プログラム、アプリケーション、コンピュータプログラム、アプリケーションプログラム、システムプログラム、ソフトウェア開発プログラム、機械プログラム、オペレーティングシステムソフトウェア、ミドルウェア、ファームウェア、ソフトウェアモジュール、ルーチン、サブルーチン、関数、メソッド、プロシジャ、ソフトウェアインタフェース、ＡＰＩ（application  program  interface）、命令セット、コンピューティングコード、コンピュータコード、コードセグメント、コンピュータコードセグメント、ワード、値、シンボル、又はそれらの任意の組合せを含んで良い。実施形態がハードウェア要素及び／又はソフトウェア要素を用いて実装されるかの決定は、所与の実装についての要望により、所望の計算レート、パワーレベル、熱耐性、処理周期バジェット、入力データレート、出力データレート、メモリ資源、データバス速度、及び他の設計若しくは性能制約のような任意の数の要因に従って変化し得る。
【００５６】
コンピューティングプラットフォーム１０３０は、他のプラットフォームコンポーネント１０５０を更に有して良い。他のプラットフォームコンポーネント１０５０は、１又は複数のプロセッサ、マルチコアプロセッサ、コプロセッサ、メモリユニット、チップセット、制御部、周辺機器、インタフェース、発振器、タイミング装置、ビデオカード、オーディオカード、マルチメディア入力／出力（Ｉ／Ｏ）コンポーネント（例えば、デジタルディスプレイ）、電源、等のような共通のコンピューティング要素を有する。システムユニットの例は、限定ではなく、ＲＯＭ（read−only  memory）、ＲＡＭ（random−access  memory）、ＤＲＡＭ（dynamic  RAM）、ＤＤＲＡＭ（Double−Data−Rate  DRAM）、ＳＤＲＡＭ（synchronous  DRAM）、ＳＲＡＭ（static  RAM）、ＰＲＯＭ（programmable  ROM）、ＥＰＲＯＭ（erasable  programmable  ROM）、ＥＥＰＲＯＭ（electrically  erasable  programmable  ROM）、フラッシュメモリ、強誘電体ポリマーメモリのようなポリマーメモリ、オボニックメモリ、位相変化若しくは強誘電体メモリ、ＳＯＮＯＳ（silicon−oxide−nitride−oxide−silicon）メモリ、磁気若しくは光カード、ＲＡＩＤ（Redundant  Array  of  Independent  Disks）のような装置のアレイ、固体メモリ装置（例えば、ＵＳＢメモリ、固体ドライブ（ＳＳＤ））、及び情報を格納するのに適した任意の他の種類の媒体のような１又は複数の高速メモリユニットの形式の種々のコンピュータ可読及び機械可読記憶媒体を含み得る。
【００５７】
電子１０００は、例えば、ウルトラモバイル装置、モバイル装置、工程装置、Ｍ２Ｍ（machine−to−machine）装置、パーソナルデジタルアシスタント（ＰＤＡ）、モバイルコンピューティング装置、スマートフォン、電話機、デジタル電話機、セルラ電話機、ユーザ機器、ｅＢｏｏｋリーダ、ハンドセット、一方向ページャ、双方向ページャ、メッセージ装置、コンピュータ、パーソナルコンピュータ（ＰＣ）、デスクトップコンピュータ、ラップトップコンピュータ、ノートブックコンピュータ、ノートブックコンピュータ、ハンドヘルドコンピュータ、タブレットコンピュータ、サーバ、サーバアレイ若しくはサーバファーム、ウェブサーバ、ネットワークサーバ、インターネットサーバ、ワークステーション、ミニコンピュータ、メインフレームコンピュータ、スーパーコンピュータ、ネットワーク機器、ウェブ機器、分散型コンピュータシステム、マルチプロセッサシステム、プロセッサベースシステム、消費者電子機器、プログラマブル消費者電子機器、ゲーム装置、ディスプレイ、テレビジョン、デジタルテレビジョン、セットトップボックス、無線アクセスポイント、基地局、ノードＢ、加入者局、移動加入者センタ、無線ネットワーク制御部、ルータ、ハブ、ゲートウェイ、ブリッジ、スイッチ、マシン、又はこれらの組合せを含み得るが、これらに限定されない。したがって、本願明細書に記載される装置１０００の機能及び／又は特定の構成は、適切に必要に応じて、装置１０００の種々の実施形態において含まれ又は省略されて良い。
【００５８】
装置１０００の実施形態は、単一入力単一出力（single  input  single  output：ＳＩＳＯ）アーキテクチャを用いて実装されて良い。しかしながら、特定の実装は、ビーム形成又は空間分割多重アクセス（spatial  division  multiple  access：ＳＤＭＡ）のための適応型アンテナ技術を用いる、及び／又はＭＩＭＯ通信技術を用いる、送信及び／又は受信のための複数のアンテナ（例えば、アンテナ１０１８−ｆ）を有して良い。
【００５９】
装置１０００のコンポーネント及び機能は、別個の回路、特定用途向け集積回路（ＡＳＩＣ）、論理ゲート及び／又はシングルチップアーキテクチャの任意の組合せを用いて実装されて良い。さらに、装置１０００の特徴は、適切な場合には、マイクロコントローラ、プログラマブルロジックアレイ、及び／又はマイクロプロセッサ又はそれらの任意の組合せを用いて実装されて良い。ハードウェア、ファームウェア、及び／又はソフトウェア要素は、集合的に又は個別に、本願明細書では「ロジック」又は「回路」として参照され得ることに留意する。
【００６０】
図１０のブロック図に示される例示的な装置１０００は、多くの可能な実装のうちの１つの機能的な説明のための例を表し得ることに留意すべきである。したがって、添付の図面に示されるブロック機能の分割、省略、又は包含は、これらの機能を実施するハードウェアコンポーネント、回路、ソフトウェア及び／又は要素が必ずしも実施形態の中で分割され、省略され、又は含まれ得ることを暗示しない。
【００６１】
図１１は、無線ネットワーク１１００の一実施形態を示す。図１１に示すように、無線ネットワークは、アクセスポイント１１０２及び無線局１１０４、１１０６、及び１１０８を有する。種々の実施形態では、無線ネットワーク１１００は、１又は複数のＩＥＥＥ（Institute  of  Electrical  and  Electronics  Engineers）８０２．１１標準（集合的に「Ｗｉ−Ｆｉ」として参照される場合が多い）を実装するＷＬＡＮのような無線ローカルエリアネットワーク（ＷＬＡＮ）を有して良い。幾つかの他の実施形態では、無線ネットワーク１１００は、別の種類の無線ネットワークを有して良く、及び／又は他の無線通信標準を実装して良い。種々の実施形態では、例えば、無線ネットワーク１１００は、ＷＬＡＮではなく、ＷＷＡＮ又はＷＰＡＮを有して良い。実施形態は、この例に限定されない。
【００６２】
幾つかの実施形態では、無線ネットワーク１１００は、改訂版、後継版、及び変形を含む、３Ｇ又は４Ｇ標準のような、１又は複数の広帯域無線通信標準を実装して良い。３Ｇ又は４Ｇ無線標準の例は、限定ではなく、ＩＥＥＥ８０２．１６ｍ及び８０２．１６ｐ標準、３ＧＰＰ（３rd  Generation  Partnership  Project）ＬＴＥ（Long  Term  Evolution）及びＬＴＥ−Ａ（LTE−Advanced）標準、並びにＩＭＴ−ＡＤＶ（International  Mobile  Telecommunications  Advanced）標準、これらの改訂、後継、及び変形を含む、のうちの任意のものを含み得る。他の適切な例は、限定ではなく、ＧＳＭ（Global  System  for  Mobile  Communications）／ＥＤＧＥ（Enhanced  Data  Rates  for  GSM  Evolution）技術、ＵＭＴＳ（Universal  Mobile  Telecommunications  System）／ＨＳＰＡ（High  Speed  Packet  Access）技術、ＷｉＭＡＸ（Worldwide  Interoperability  for  Microwave  Access）若しくはＷｉＭＡＸ  ＩＩ技術、ＣＤＭＡ（Code  Division  Multiple  Access）２０００システム技術（例えば、ＣＤＭＡ２０００  １ｘＲＴＴ、ＣＤＭＡ２０００  ＥＶ−ＤＯ、ＣＤＭＡ  ＥＶ−ＤＶ、等）、ＥＴＳＩ（European  Telecommunications  Standards  Institute）ＢＲＡＮ（Broadband  Radio  Access  Networks）により策定されるＨＩＰＥＲＭＡＮ（High  Performance  Radio  Metropolitan  Area  Network）技術、ＷｉＢｒｏ（Wireless  Broadband）技術、ＧＳＭ／ＧＰＲＳ（GSM  with  General  Packet  Radio  Service  system）技術、ＨＳＤＰＡ（High  Speed  Downlink  Packet  Access）技術、ＨＳＯＰＡ（OFDM(High  Speed  Orthogonal  Frequency−Division  Multiplexing）Packet  Access)技術、ＨＳＵＰＡ（High−Speed  Uplink  Packet  Access）システム技術、ＬＴＥ／ＳＡＥ（System  Architecture  Evolution）の３ＧＰＰ  Rel．８、−１２、等を含みうる。実施形態は、この文脈に限定されない。
【００６３】
種々の実施形態では、無線局１１０４、１１０６、及び１１０８は、１又は複数の外部データネットワークとの接続を得るために、アクセスポイント１１０２と通信して良い。幾つかの実施形態では、例えば、無線局１１０４、１１０６、及び１１０８は、アクセスポイント１１０２及びアクセスネットワーク１１１０を介してインターネット１１１２に接続して良い。種々の実施形態では、アクセスネットワーク１１１０は、インターネットサービスプロバイダ（ＩＳＰ）ネットワークのような加入に基づくインターネット接続を提供するプライベートネットワークを有して良い。実施形態は、この例に限定されない。
【００６４】
種々の実施形態では、無線局１１０４、１１０６及び１１０８のうちの２以上は、ピアツーピア通信を交換することにより、互いに通信して良い。例えば、図１１の例では、無線局１１０４及び１１０６は、ピアツーピア通信１１１４を交換することにより、互いに直接通信する。幾つかの実施形態では、このようなピアツーピア通信は、１又は複数のＷｉ−Ｆｉ  Ａｌｌｉａｎｃｅ（ＷＦＡ）標準に従い実行されて良い。例えば、種々の実施形態では、このようなピアツーピア通信は、ＷＦＡ  Ｗｉ−Ｆｉ  Ｄｉｒｅｃｔ標準、２０１０リリースに従い実行されて良い。種々の実施形態では、このようなピアツーピア通信は、追加で又は代替で、ＷＦＡ  Ｗｉ−Ｆｉ  Ｄｉｒｅｃｔ  Ｓｅｒｖｉｃｅｓ（ＷＦＤＳ）タスクグループにより開発された１又は複数のインタフェース、プロトコル、及び／又は標準を用いて実行されて良い。実施形態は、これらの例に限定されない。
【００６５】
種々の実施形態は、ハードウェア要素、ソフトウェア要素、又は両者の組み合わせを用いて実施されて良い。ハードウェア要素の例は、プロセッサ、マイクロプロセッサ、回路、回路要素（例えば、トランジスタ、抵抗器、キャパシタ、インダクタ等）、集積回路、ＡＳＩＣ（application  specific  integrated  circuit）、ＰＬＤ（programmable  logic  device）、ＤＳＰ（digital  signal  processor）、ＦＰＧＡ（field  programmable  gate  array）、メモリユニット、論理ゲート、レジスタ、半導体装置、チップ、マイクロチップ、チップセット等を有して良い。ソフトウェアの例は、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、関数、メソッド、プロシジャ、ソフトウェアインタフェース、ＡＰＩ（application  program  interface）、命令セット、コンピューティングコード、コンピュータコード、コードセグメント、コンピュータコードセグメント、ワード、値、シンボル、又はそれらの任意の組合せを含んで良い。実施形態がハードウェア要素及び／又はソフトウェア要素を用いて実装されるかの決定は、所望の計算レート、パワーレベル、熱耐性、処理周期バジェット、入力データレート、出力データレート、メモリ資源、データバス速度、及び他の設計若しくは性能制約のような任意の数の要因に従って変化し得る。
【００６６】
少なくとも１つの実施形態の１又は複数の態様は、プロセッサ内の種々のロジックを表し、機械により読み込まれると本願明細書に記載の技術を実行するために該機械にロジックを組み立てさせる、機械可読媒体に格納された典型的な命令により実施されて良い。「ＩＰコア」として知られるこのような表現は、有形の、機械可読媒体に格納され、実際にロジック又はプロセッサを作成する製造機械にロードするために種々の顧客若しくは製造設備に供給されて良い。幾つかの実施形態は、例えば、機械により実行されると該機械に実施形態による方法及び／又は動作を実行させ得る命令又は命令セットを格納し得る機械可読媒体又は製品を用いて、実施されて良い。このような機械は、例えば、任意の適切な処理プラットフォーム、コンピューティングプラットフォーム、コンピューティング装置、処理装置、コンピューティングシステム、処理システム、コンピュータ、プロセッサ、等を有しても良く、ハードウェア及び／又はソフトウェアの任意の適切な組合せを用いて実施されて良い。機械可読媒体又は製品は、例えば、任意の適切な種類のメモリユニット、メモリ装置、メモリ製品、メモリ媒体、記憶装置、記憶製品、記憶媒体、及び／又は記憶ユニット、例えばメモリ、取り外し可能若しくは非取り外し可能媒体、消去可能若しくは非消去可能媒体、書き込み可能若しくは非書き込み可能媒体、デジタル若しくはアナログ媒体、ハードディスク、フロッピディスク、ＣＤ−ＲＯＭ（Compact  Disk  Read  Only  Memory）、ＣＤ−Ｒ（Compact  Disk  Recordable）、ＣＤ−ＲＷ（Compact  Disk  Rewriteable）、光ディスク、磁気媒体、光磁気媒体、取り外し可能メモリカード若しくはディスク、種々のＤＶＤ（Digital  Versatile  Disk）、テープ、カセット、等を含み得る。命令は、任意の適切な高級、低級、オブジェクト指向、視覚的、コンパイルされた及び／又はインタープリットされたプログラミング言語を用いて実装される、ソースコード、コンパイル済みコード、インタープリット済みコード、実行可能コード、スタティックコード、ダイナミックコード、暗号化コード、等のような任意の適切な種類のコードを有して良い。
【００６７】
（例１）ロジックを有する局（ＳＴＡ）であって、該ロジックの少なくとも一部はハードウェアであり、前記ロジックは、イニシエータ送信（ＴＸ）セクタを選択するためにイニシエータ送信セクタスイープ（ＴＸＳＳ）を実行し、前記の選択したイニシエータＴＸセクタを用いてビームフォーミング相反性テストを実行し、前記ビームフォーミング相反性テストの結果に基づき前記イニシエータＴＸセクタの相反性イニシエータ受信（ＲＸ）セクタを用いて指向受信を実行するか否かを決定する、ＳＴＡ、を有する無線通信装置。
【００６８】
（例２）前記ロジックは、前記ビームフォーミング相反性テストを含む初期変調及び符号化方式（ＭＣＳ）選択交換を開始する、例１に記載の無線通信装置。
【００６９】
（例３）前記ロジックは、前記ビームフォーミング相反性テストの間に、リンク測定要求フレームを送信する、例１に記載の無線通信装置。
【００７０】
（例４）前記ロジックは、前記リンク測定要求フレームを有する信号を、前記選択したイニシエータＴＸセクタに対応する送信アンテナパターンを用いて指向送信させる、例３に記載の無線通信装置。
【００７１】
（例５）前記ロジックは、前記リンク測定要求フレームに応答するリンク測定応答フレームの受信に基づき、前記ビームフォーミング相反性テストが成功したことを決定する、例３に記載の無線通信装置。
【００７２】
（例６）前記ロジックは、前記受信したリンク測定応答フレームに応答して、第２リンク測定応答フレームを送信する、例５に記載の無線通信装置。
【００７３】
（例７）前記ロジックは、前記リンク測定要求フレームに対する応答が受信されていないという決定に応答して、前記ビームフォーミング相反性テストが失敗したことを決定する、例３に記載の無線通信装置。
【００７４】
（例８）前記ロジックは、前記ビームフォーミング相反性テストが成功したという決定に応答して、前記相反性イニシエータＲＸセクタを用いて指向受信を実行し、前記相反性イニシエータＲＸセクタに対応する受信アンテナパターンを用いて指向データ送信を受信させる、例１に記載の無線通信装置。
【００７５】
（例９）前記ロジックは、前記ビームフォーミング相反性テストが失敗したという決定に応答して、前記相反性イニシエータＲＸセクタを用いて指向受信を実行しないことを決定し、イニシエータＲＸセクタを選択する、例１に記載の無線通信装置。
【００７６】
（例１０）前記ロジックは、前記相反性イニシエータＲＸセクタを用いて指向受信を実行しないという決定に応答して、受信セクタトレーニング手順を開始し、前記選択したイニシエータＲＸセクタに対応する受信アンテナパターンを用いて指向データ送信を受信させる、例９に記載の無線通信装置。
【００７７】
（例１１）前記ロジックは、前記受信セクタトレーニング手順に含まれるレスポンダ受信セクタスイープ（ＲＸＳＳ）の間に受信された１又は複数のセクタスイープフレームに基づき、前記イニシエータＲＸセクタを選択する、例１１に記載の無線通信装置。
【００７８】
（例１２）前記ロジックは、前記相反性イニシエータＲＸセクタを用いて指向受信を実行しないという決定に応答してビーム微調整手順を開始し、前記ビーム微調整手順の結果に従い、前記イニシエータＲＸセクタを選択し、前記選択したイニシエータＲＸセクタに対応する受信アンテナパターンを用いて指向データ送信を受信させる、例９に記載の無線通信装置。
【００７９】
（例１３）前記ロジックは、指向受信モードに入るようレスポンダに指示するために指向受信命令を送信し、前記指向受信命令は、前記イニシエータＴＸＳＳと同じ送信セクタトレーニング手順に含まれるレスポンダＴＸＳＳに続き前記指向受信モードに入るよう前記レスポンダに指示する、例１に記載の無線通信装置。
【００８０】
（例１４）前記ロジックは、前記指向受信命令を有する許可フレームを送信する、例１３に記載の無線通信装置。
【００８１】
（例１５）前記指向受信命令は、前記許可フレームのビームフォーミング制御フィールド内に指定ビットの値を有する、例１４に記載の無線通信装置。
【００８２】
（例１６）前記ロジックは、前記許可フレームに応答して許可肯定応答フレームを受信し、前記許可肯定応答フレームは、前記指向受信命令の肯定応答を含む、例１４に記載の無線通信装置。
【００８３】
（例１７）前記指向受信命令の前記肯定応答は、前記許可肯定応答フレームのビームフォーミング制御フィールド内に指定ビットの値を有する、例１６に記載の無線通信装置。
【００８４】
（例１８）前記ロジックは、前記送信セクタトレーニング手順に続き、前記指向受信命令を有する許可フレームを送信する、例１４に記載の無線通信装置。
【００８５】
（例１９）前記ロジックは、前記指向受信命令を有するセクタスイープフィードバックフレームを送信する、例１３に記載の無線通信装置。
【００８６】
（例２０）前記指向受信命令は、前記セクタスイープフィードバックフレームのセクタスイープフィードバックフィールド内に指定ビットの値を有する、例１９に記載の無線通信装置。
【００８７】
（例２１）前記ロジックは、前記セクタスイープフィードバックフレームに応答してセクタスイープ肯定応答フレームを受信し、前記セクタスイープ肯定応答フレームは、前記指向受信命令の肯定応答を含む、例１９に記載の無線通信装置。
【００８８】
（例２２）前記指向受信命令の前記肯定応答は、前記セクタスイープ肯定応答フレームのセクタスイープフィードバックフィールド内に指定ビットの値を有する、例２１に記載の無線通信装置。
【００８９】
（例２３）例１乃至２２のいずれかに記載の無線通信装置と、少なくとも１つの無線周波数（ＲＦ）通信機と、少なくとも１つのＲＦアンテナと、を有するシステム。
【００９０】
（例２４）タッチスクリーンディスプレイを有する、例２３に記載のシステム。
【００９１】
（例２５）ロジックを有する局（ＳＴＡ）であって、該ロジックの少なくとも一部はハードウェアであり、前記ロジックは、レスポンダ送信（ＴＸ）セクタを選択するためにレスポンダ送信セクタスイープ（ＲＸＳＳ）を実行し、前記レスポンダＴＸセクタの相反性レスポンダ受信（ＲＸ）セクタを用いて指向受信モードに入り、前記ビームフォーミング相反性テストの結果に基づき指向データ受信のために前記相反性レスポンダＲＸセクタを使用するか否かを決定する、ＳＴＡ、を有する無線通信装置。
【００９２】
（例２６）前記ビームフォーミング相反性テストは、初期変調及び符号化方式（ＭＣＳ）選択交換の少なくとも一部を含む、例２５に記載の無線通信装置。
【００９３】
（例２７）前記ロジックは、前記ビームフォーミング相反性テストの間に、リンク測定要求フレームを受信し、前記リンク測定要求フレームに応答するリンク測定応答フレームを送信する、例２５に記載の無線通信装置。
【００９４】
（例２８）前記ロジックは、前記送信したリンク測定応答フレームに応答する第２リンク測定応答フレームの受信に基づき、前記ビームフォーミング相反性テストが成功したことを決定する、例２７に記載の無線通信装置。
【００９５】
（例２９）前記ロジックは、前記送信したリンク測定応答フレームに応答して第２リンク測定応答フレームが受信されないという決定に応答して、前記ビームフォーミング相反性テストが失敗したことを決定する、例２７に記載の無線通信装置。
【００９６】
（例３０）前記ロジックは、前記ビームフォーミング相反性テストが成功したという決定に応答して、指向データ受信のために前記相反性レスポンダＲＸセクタを用いることを決定し、前記相反性レスポンダＲＸセクタに対応する受信アンテナパターンを用いて指向データ送信を受信させる、例２５に記載の無線通信装置。
【００９７】
（例３１）前記ロジックは、前記ビームフォーミング相反性テストが失敗したという決定に応答して、指向データ受信のために前記相反性レスポンダＲＸセクタを用いないことを決定し、レスポンダＲＸセクタを選択する、例２５に記載の無線通信装置。
【００９８】
（例３２）前記ロジックは、前記受信セクタトレーニング手順のイニシエータ受信セクタスイープ（ＲＸＳＳ）の間に受信された１又は複数のセクタスイープフレームに基づき、前記レスポンダＲＸセクタを選択する、例３１に記載の無線通信装置。
【００９９】
（例３３）前記ロジックは、前記選択したレスポンダＲＸセクタに対応する受信アンテナパターンを用いて、指向データ送信を受信させる、例３１に記載の無線通信装置。
【０１００】
（例３４）前記ロジックは、受信した指向受信命令に基づき、前記相反性レスポンダＲＸセクタを用いて前記指向受信モードに入ることを決定する、例２５に記載の無線通信装置。
【０１０１】
（例３５）前記指向受信命令は、受信した許可フレームに含まれる、例３４に記載の無線通信装置。
【０１０２】
（例３６）前記指向受信命令は、前記許可フレームのビームフォーミング制御フィールド内に指定ビットの値を有する、例３５に記載の無線通信装置。
【０１０３】
（例３７）前記ロジックは、前記許可フレームに応答して許可肯定応答フレームを送信し、前記許可肯定応答フレームは、前記指向受信命令の肯定応答を含む、例３４に記載の無線通信装置。
【０１０４】
（例３８）前記指向受信命令の前記肯定応答は、前記許可肯定応答フレームのビームフォーミング制御フィールド内に指定ビットの値を有する、例３７に記載の無線通信装置。
【０１０５】
（例３９）前記指向受信命令は、受信したセクタスイープフィードバックフレームに含まれる、例３４に記載の無線通信装置。
【０１０６】
（例４０）前記指向受信命令は、前記セクタスイープフィードバックフレームのセクタスイープフィードバックフィールド内に指定ビットの値を有する、例３９に記載の無線通信装置。
【０１０７】
（例４１）前記ロジックは、前記セクタスイープフィードバックフレームに応答してセクタスイープ肯定応答フレームを送信し、前記セクタスイープ肯定応答フレームは、前記指向受信命令の肯定応答を含む、例３４に記載の無線通信装置。
【０１０８】
（例４２）前記指向受信命令の前記肯定応答は、前記セクタスイープ肯定応答フレームのセクタスイープフィードバックフィールド内に指定ビットの値を有する、例４１に記載の無線通信装置。
【０１０９】
（例４３）前記ロジックは、受信した管理フレームの指向マルチギガビット（directional  multi−gigabit：ＤＭＧ）能力情報フィールド内のビットの値に基づき、前記相反性レスポンダＲＸセクタを用いて前記指向受信モードに入ることを決定する、例２５に記載の無線通信装置。
【０１１０】
（例４４）例２５乃至４３のいずれかに記載の無線通信装置と、少なくとも１つの無線周波数（ＲＦ）通信機と、少なくとも１つのＲＦアンテナと、を有するシステム。
【０１１１】
（例４５）タッチスクリーンディスプレイを有する、例４４に記載のシステム。
【０１１２】
（例４６）無線通信命令セットを有する少なくとも１つの非一時的コンピュータ可読記憶媒体であって、前記無線通信命令セットは、局（ＳＴＡ）において実行されることに応答して、前記ＳＴＡに、イニシエータ送信（ＴＸ）セクタを選択するためにイニシエータ送信セクタスイープ（ＴＸＳＳ）を実行させ、前記の選択したイニシエータＴＸセクタを用いてビームフォーミング相反性テストを実行させ、前記ビームフォーミング相反性テストの結果に基づき前記イニシエータＴＸセクタのために相反性イニシエータ受信（ＲＸ）セクタを用いて指向受信を実行するか否かを決定させる、少なくとも１つの非一時的コンピュータ可読記憶媒体。
【０１１３】
（例４７）前記ＳＴＡにおいて実行されることに応答して、前記ＳＴＡに、前記ビームフォーミング相反性テストを含む初期変調及び符号化方式（ＭＣＳ）選択交換を開始させる、無線通信命令を有する例４６に記載の少なくとも１つの非一時的コンピュータ可読記憶媒体。
【０１１４】
（例４８）前記ＳＴＡにおいて実行されることに応答して、前記ＳＴＡに、前記ビームフォーミング相反性テストの間に、リンク測定要求フレームを送信させる、無線通信命令を有する例４６に記載の少なくとも１つの非一時的コンピュータ可読記憶媒体。
【０１１５】
（例４９）前記ＳＴＡにおいて実行されることに応答して、前記ＳＴＡに、前記選択したイニシエータＴＸセクタに対応する送信アンテナパターンを用いて前記リンク測定要求フレームを有する信号を指向送信させる、無線通信命令を有する例４８に記載の少なくとも１つの非一時的コンピュータ可読記憶媒体。
【０１１６】
（例５０）前記ＳＴＡにおいて実行されることに応答して、前記ＳＴＡに、前記リンク測定要求フレームに応答するリンク測定応答フレームの受信に基づき、前記ビームフォーミング相反性テストが成功したことを決定させる、無線通信命令を有する例４８に記載の少なくとも１つの非一時的コンピュータ可読記憶媒体。
【０１１７】
（例５１）前記ＳＴＡにおいて実行されることに応答して、前記ＳＴＡに、前記受信したリンク測定応答フレームに応答して、第２リンク測定応答フレームを送信させる、無線通信命令を有する例５０に記載の少なくとも１つの非一時的コンピュータ可読記憶媒体。
【０１１８】
（例５２）前記ＳＴＡにおいて実行されることに応答して、前記ＳＴＡに、前記リンク測定要求フレームに対する応答が受信されないという決定に応答して、前記ビームフォーミング相反性テストが失敗したことを決定させる、無線通信命令を有する例４８に記載の少なくとも１つの非一時的コンピュータ可読記憶媒体。
【０１１９】
（例５３）前記ＳＴＡにおいて実行されることに応答して、前記ＳＴＡに、前記ビームフォーミング相反性テストが成功したという決定に応答して、前記相反性イニシエータＲＸセクタを用いて指向受信を実行することを決定させ、前記相反性イニシエータＲＸセクタに対応する受信アンテナパターンを用いて指向データ送信を受信させる、無線通信命令を有する例４６に記載の少なくとも１つの非一時的コンピュータ可読記憶媒体。
【０１２０】
（例５４）前記ＳＴＡにおいて実行されることに応答して、前記ＳＴＡに、前記ビームフォーミング相反性テストが失敗したという決定に応答して、前記相反性イニシエータＲＸセクタを用いて指向受信を実行しないことを決定させ、イニシエータＲＸセクタを選択させる、無線通信命令を有する例４６に記載の少なくとも１つの非一時的コンピュータ可読記憶媒体。
【０１２１】
（例５５）前記ＳＴＡにおいて実行されることに応答して、前記ＳＴＡに、前記相反性ＲＸセクタを用いて指向受信を実行しないという決定に応答して、受信セクタトレーニング手順を受信させる、無線通信命令を有する例５４に記載の少なくとも１つの非一時的コンピュータ可読記憶媒体。
【０１２２】
（例５６）前記ＳＴＡにおいて実行されることに応答して、前記ＳＴＡに、前記受信セクタトレーニング手順に含まれるレスポンダ受信セクタスイープ（ＲＸＳＳ）の間に受信された１又は複数のセクタスイープフレームに基づき、イニシエータＲＸセクタを選択させる、無線通信命令を有する例５５に記載の少なくとも１つの非一時的コンピュータ可読記憶媒体。
【０１２３】
（例５７）前記ＳＴＡにおいて実行されることに応答して、前記ＳＴＡに、前記選択したイニシエータＲＸセクタに対応する受信アンテナパターンを用いて指向データ送信を受信させる、無線通信命令を有する例５４に記載の少なくとも１つの非一時的コンピュータ可読記憶媒体。
【０１２４】
（例５８）前記ＳＴＡにおいて実行されることに応答して、前記ＳＴＡに、指向受信モードに入るようレスポンダに指示するために指向受信命令を送信させ、前記指向受信命令は、前記イニシエータＴＸＳＳと同じ送信セクタトレーニング手順に含まれるレスポンダＴＸＳＳに続き前記指向受信モードに入るよう前記レスポンダに指示する、無線通信命令を有する例４６に記載の少なくとも１つの非一時的コンピュータ可読記憶媒体。
【０１２５】
（例５９）前記ＳＴＡにおいて実行されることに応答して、前記ＳＴＡに、前記指向受信命令を含む許可フレームを送信させる、無線通信命令を有する例５８に記載の少なくとも１つの非一時的コンピュータ可読記憶媒体。
【０１２６】
（例６０）前記指向受信命令は、前記許可フレームのビームフォーミング制御フィールド内に指定ビットの値を有する、例５９に記載の少なくとも１つの非一時的コンピュータ可読記憶媒体。
【０１２７】
（例６１）前記ＳＴＡにおいて実行されることに応答して、前記ＳＴＡに、前記許可フレームに応答して許可肯定応答フレームを受信させ、前記許可肯定応答フレームは前記指向受信命令の肯定応答を含む、無線通信命令を有する例５９に記載の少なくとも１つの非一時的コンピュータ可読記憶媒体。
【０１２８】
（例６２）前記指向受信命令の前記肯定応答は、前記許可肯定応答フレームのビームフォーミング制御フィールド内に指定ビットの値を有する、例６１に記載の少なくとも１つの非一時的コンピュータ可読記憶媒体。
【０１２９】
（例６３）前記ＳＴＡにおいて実行されることに応答して、前記ＳＴＡに、前記送信セクタトレーニング手順に続き前記指向受信命令を含む前記許可フレームを送信させる、無線通信命令を有する例５９に記載の少なくとも１つの非一時的コンピュータ可読記憶媒体。
【０１３０】
（例６４）前記ＳＴＡにおいて実行されることに応答して、前記ＳＴＡに、前記指向受信命令を含むセクタスイープフィードバックフレームを送信させる、無線通信命令を有する例５８に記載の少なくとも１つの非一時的コンピュータ可読記憶媒体。
【０１３１】
（例６５）前記指向受信命令は、前記セクタスイープフィードバックフレームのセクタスイープフィードバックフィールド内に指定ビットの値を有する、例６４に記載の少なくとも１つの非一時的コンピュータ可読記憶媒体。
【０１３２】
（例６６）前記ＳＴＡにおいて実行されることに応答して、前記ＳＴＡに、前記セクタスイープフィードバックフレームに応答してセクタスイープ肯定応答フレームを受信させ、前記セクタスイープ肯定応答フレームは前記指向受信命令の肯定応答を含む、無線通信命令を有する例６４に記載の少なくとも１つの非一時的コンピュータ可読記憶媒体。
【０１３３】
（例６７）前記指向受信命令の前記肯定応答は、前記セクタスイープ肯定応答フレームのセクタスイープフィードバックフィールド内に指定ビットの値を有する、例６６に記載の少なくとも１つの非一時的コンピュータ可読記憶媒体。
【０１３４】
（例６８）無線通信命令セットを有する少なくとも１つの非一時的コンピュータ可読記憶媒体であって、前記無線通信命令セットは、局（ＳＴＡ）において実行されることに応答して、前記ＳＴＡに、レスポンダ送信（ＴＸ）セクタを選択するためにレスポンダ送信セクタスイープ（ＲＸＳＳ）を実行させ、前記レスポンダＴＸセクタの相反性レスポンダ受信（ＲＸ）セクタを用いて指向受信モードに入らせ、前記ビームフォーミング相反性テストの結果に基づき指向データ受信のために前記相反性レスポンダＲＸセクタを使用するか否かを決定させる、少なくとも１つの非一時的コンピュータ可読記憶媒体。
【０１３５】
（例６９）前記ビームフォーミング相反性テストは、初期変調及び符号化方式（ＭＣＳ）選択交換の少なくとも一部を有する、例６８に記載の少なくとも１つの非一時的コンピュータ可読記憶媒体。
【０１３６】
（例７０）前記ＳＴＡにおいて実行されることに応答して、前記ＳＴＡに、前記ビームフォーミング相反性テストの間に、リンク測定要求フレームを受信させ、前記リンク測定要求フレームに応答してリンク測定応答フレームを送信させる、無線通信命令を有する例６８に記載の少なくとも１つの非一時的コンピュータ可読記憶媒体。
【０１３７】
（例７１）前記ＳＴＡにおいて実行されることに応答して、前記ＳＴＡに、前記送信したリンク測定応答フレームに応答する第２リンク測定応答フレームの受信に基づき、前記ビームフォーミング相反性テストが成功したことを決定させる、無線通信命令を有する例７０に記載の少なくとも１つの非一時的コンピュータ可読記憶媒体。
【０１３８】
（例７２）前記ＳＴＡにおいて実行されることに応答して、前記ＳＴＡに、前記送信したリンク測定応答フレームに応答して第２リンク測定応答フレームが受信されないという決定に応答して、前記ビームフォーミング相反性テストが失敗したことを決定させる、無線通信命令を有する例７０に記載の少なくとも１つの非一時的コンピュータ可読記憶媒体。
【０１３９】
（例７３）前記ＳＴＡにおいて実行されることに応答して、前記ＳＴＡに、前記ビームフォーミング相反性テストが成功したという決定に応答して、指向受信のために前記相反性レスポンダＲＸセクタを用いることを決定させ、前記相反性レスポンダＲＸセクタに対応する受信アンテナパターンを用いて指向データ送信を受信させる、無線通信命令を有する例６８に記載の少なくとも１つの非一時的コンピュータ可読記憶媒体。
【０１４０】
（例７４）前記ＳＴＡにおいて実行されることに応答して、前記ＳＴＡに、前記ビームフォーミング相反性テストが失敗したという決定に応答して、指向データ受信のために前記相反性レスポンダＲＸセクタを用いないことを決定させ、レスポンダＲＸセクタを選択させる、無線通信命令を有する例６８に記載の少なくとも１つの非一時的コンピュータ可読記憶媒体。
【０１４１】
（例７５）前記ＳＴＡにおいて実行されることに応答して、前記ＳＴＡに、前記受信セクタトレーニング手順のイニシエータ受信セクタスイープ（ＲＸＳＳ）の間に受信された１又は複数のセクタスイープフレームに基づき、レスポンダＲＸセクタを選択させる、無線通信命令を有する例７４に記載の少なくとも１つの非一時的コンピュータ可読記憶媒体。
【０１４２】
（例７６）前記ＳＴＡにおいて実行されることに応答して、前記ＳＴＡに、前記選択したレスポンダＲＸセクタに対応する受信アンテナパターンを用いて指向データ送信を受信させる、無線通信命令を有する例７４に記載の少なくとも１つの非一時的コンピュータ可読記憶媒体。
【０１４３】
（例７７）前記ＳＴＡにおいて実行されることに応答して、前記ＳＴＡに、前記受信した指向受信に基づき前記相反性レスポンダＲＸセクタを用いて前記指向受信モードに入ることを決定させる、無線通信命令を有する例６８に記載の少なくとも１つの非一時的コンピュータ可読記憶媒体。
【０１４４】
（例７８）前記指向受信命令は、受信した許可フレームに含まれる、例７７に記載の少なくとも１つの非一時的コンピュータ可読記憶媒体。
【０１４５】
（例７９）前記指向受信命令は、前記許可フレームのビームフォーミング制御フィールド内に指定ビットの値を有する、例７８に記載の少なくとも１つの非一時的コンピュータ可読記憶媒体。
【０１４６】
（例８０）前記ＳＴＡにおいて実行されることに応答して、前記ＳＴＡに、前記許可フレームに応答して許可肯定応答フレームを送信させ、前記許可肯定応答フレームは前記指向受信命令の肯定応答を含む、無線通信命令を有する例７７に記載の少なくとも１つの非一時的コンピュータ可読記憶媒体。
【０１４７】
（例８１）前記指向受信命令の前記肯定応答は、前記許可肯定応答フレームのビームフォーミング制御フィールド内に指定ビットの値を有する、例８０に記載の少なくとも１つの非一時的コンピュータ可読記憶媒体。
【０１４８】
（例８２）前記指向受信命令は、受信したセクタスイープフィードバックフレームに含まれる、例７７に記載の少なくとも１つの非一時的コンピュータ可読記憶媒体。
【０１４９】
（例８３）前記指向受信命令は、前記セクタスイープフィードバックフレームのセクタスイープフィードバックフィールド内に指定ビットの値を有する、例８２に記載の少なくとも１つの非一時的コンピュータ可読記憶媒体。
【０１５０】
（例８４）前記ＳＴＡにおいて実行されることに応答して、前記ＳＴＡに、前記セクタスイープフィードバックフレームに応答してセクタスイープ肯定応答フレームを送信させ、前記セクタスイープ肯定応答フレームは前記指向受信命令の肯定応答を含む、無線通信命令を有する例７７に記載の少なくとも１つの非一時的コンピュータ可読記憶媒体。
【０１５１】
（例８５）前記指向受信命令の前記肯定応答は、前記セクタスイープ肯定応答フレームのセクタスイープフィードバックフィールド内に指定ビットの値を有する、例８４に記載の少なくとも１つの非一時的コンピュータ可読記憶媒体。
【０１５２】
（例８６）前記ＳＴＡにおいて実行されることに応答して、前記ＳＴＡに、前記受信した管理フレームの指向マルチギガビット（ＤＭＧ）能力情報内のビットの値に基づき、前記相反性レスポンダＲＸセクタを用いて、前記指向受信モードに入ることを決定させる、無線通信命令を有する例６８に記載の少なくとも１つの非一時的コンピュータ可読記憶媒体。
【０１５３】
（例８７）局（ＳＴＡ）により、イニシエータ送信（ＴＸ）セクタを選択するためにイニシエータ送信セクタスイープ（ＴＸＳＳ）を実行するステップと、前記の選択したイニシエータＴＸセクタを用いてビームフォーミング相反性テストを実行するステップと、前記ＳＴＡの処理回路により、前記ビームフォーミング相反性テストの結果に基づき前記イニシエータＴＸセクタの相反性イニシエータ受信（ＲＸ）セクタを用いて指向受信を実行するか否かを決定するステップと、を有する無線通信方法。
【０１５４】
（例８８）前記ロジックは、前記ビームフォーミング相反性テストを含む初期変調及び符号化方式（ＭＣＳ）選択交換を開始するステップ、を有する例８７に記載の無線通信方法。
【０１５５】
（例８９）前記ロジックは、前記ビームフォーミング相反性テストの間に、リンク測定要求フレームを送信するステップ、を有する例８７に記載の無線通信方法。
【０１５６】
（例９０）前記リンク測定要求フレームを有する信号を、前記選択したイニシエータＴＸセクタに対応する送信アンテナパターンを用いて指向送信するステップ、を有する例８９に記載の無線通信方法。
【０１５７】
（例９１）前記リンク測定要求フレームに応答するリンク測定応答フレームの受信に基づき、前記ビームフォーミング相反性テストが成功したことを決定するステップ、を有する例８９に記載の無線通信方法。
【０１５８】
（例９２）前記受信したリンク測定応答フレームに応答して、第２リンク測定応答フレームを送信するステップ、を有する例９１に記載の無線通信方法。
【０１５９】
（例９３）前記リンク測定要求フレームに対する応答が受信されていないという決定に応答して、前記ビームフォーミング相反性テストが失敗したことを決定するステップ、を有する例８９に記載の無線通信方法。
【０１６０】
（例９４）前記ビームフォーミング相反性テストが成功したという決定に応答して、前記相反性イニシエータＲＸセクタを用いて指向受信を実行するステップと、前記相反性イニシエータＲＸセクタに対応する受信アンテナパターンを用いて指向データ送信を受信するステップと、を有する例８７に記載の無線通信方法。
【０１６１】
（例９５）前記ビームフォーミング相反性テストが失敗したという決定に応答して、前記相反性イニシエータＲＸセクタを用いて指向受信を実行しないことを決定するステップと、イニシエータＲＸセクタを選択するステップと、を有する例８７に記載の無線通信方法。
【０１６２】
（例９６）前記相反性イニシエータＲＸセクタを用いて指向受信を実行しないという決定に応答して、受信セクタトレーニング手順を開始するステップ、を有する例９５に記載の無線通信方法。
【０１６３】
（例９７）前記受信セクタトレーニング手順に含まれるレスポンダ受信セクタスイープ（ＲＸＳＳ）の間に受信された１又は複数のセクタスイープフレームに基づき、前記イニシエータＲＸセクタを選択するステップ、を有する例９６に記載の無線通信方法。
【０１６４】
（例９８）前記選択したイニシエータＲＸセクタに対応する受信アンテナパターンを用いて、指向データ送信を受信するステップ、を有する例９５に記載の無線通信方法。
【０１６５】
（例９９）指向受信モードに入るようレスポンダに指示するために指向受信命令を送信するステップであって、前記指向受信命令は、前記イニシエータＴＸＳＳと同じ送信セクタトレーニング手順に含まれるレスポンダＴＸＳＳに続き前記指向受信モードに入るよう前記レスポンダに指示する、ステップ、を有する例８７に記載の無線通信方法。
【０１６６】
（例１００）前記指向受信命令を有する許可フレームを送信するステップ、を有する例９９に記載の無線通信方法。
【０１６７】
（例１０１）前記指向受信命令は、前記許可フレームのビームフォーミング制御フィールド内に指定ビットの値を有する、例１００に記載の無線通信方法。
【０１６８】
（例１０２）前記許可フレームに応答して許可肯定応答フレームを受信するステップであって、前記許可肯定応答フレームは、前記指向受信命令の肯定応答を含む、ステップ、を有する例１００に記載の無線通信方法。
【０１６９】
（例１０３）前記指向受信命令の前記肯定応答は、前記許可肯定応答フレームのビームフォーミング制御フィールド内に指定ビットの値を有する、例１０２に記載の無線通信方法。
【０１７０】
（例１０４）前記送信セクタトレーニング手順に続き、前記指向受信命令を有する許可フレームを送信するステップ、を有する例１００に記載の無線通信方法。
【０１７１】
（例１０５）前記指向受信命令を有するセクタスイープフィードバックフレームを送信するステップ、を有する例９９に記載の無線通信方法。
【０１７２】
（例１０６）前記指向受信命令は、前記セクタスイープフィードバックフレームのセクタスイープフィードバックフィールド内に指定ビットの値を有する、例１０５に記載の無線通信方法。
【０１７３】
（例１０７）前記セクタスイープフィードバックフレームに応答してセクタスイープ肯定応答フレームを受信するステップであって、前記セクタスイープ肯定応答フレームは、前記指向受信命令の肯定応答を含む、ステップ、を有する例１０５に記載の無線通信方法。
【０１７４】
（例１０８）前記指向受信命令の前記肯定応答は、前記セクタスイープ肯定応答フレームのセクタスイープフィードバックフィールド内に指定ビットの値を有する、例１０７に記載の無線通信方法。
【０１７５】
（例１０９）コンピューティング装置上で実行されることに応答して、前記コンピューティング装置に、例８７乃至１０８のいずれかに記載の無線通信方法を実行させる、命令セットを有する少なくとも１つの非一時的コンピュータ可読記憶媒体。
【０１７６】
（例１１０）例８７−１０８のいずれかの無線通信方法を実行する手段を有する装置。
【０１７７】
（例１１１）例１１０に記載の装置と、少なくとも１つの無線周波数（ＲＦ）通信機と、少なくとも１つのＲＦアンテナと、を有するシステム。
【０１７８】
（例１１２）タッチスクリーンディスプレイを有する、例１１１に記載のシステム。
【０１７９】
（例１１３）局（ＳＴＡ）により、レスポンダ送信（ＴＸ）セクタを選択するためにレスポンダ送信セクタスイープ（ＲＸＳＳ）を実行するステップと、前記レスポンダＴＸセクタの相反性レスポンダ受信（ＲＸ）セクタを用いて指向受信モードに入るステップと、前記ＳＴＡの処理回路により、前記ビームフォーミング相反性テストの結果に基づき指向データ受信のために前記相反性レスポンダＲＸセクタを使用するか否かを決定するステップと、を有する無線通信方法。
【０１８０】
（例１１４）前記ビームフォーミング相反性テストは、初期変調及び符号化方式（ＭＣＳ）選択交換の少なくとも一部を含む、例１１３に記載の無線通信方法。
【０１８１】
（例１１５）前記ビームフォーミング相反性テストの間に、リンク測定要求フレームを受信するステップと、前記リンク測定要求フレームに応答してリンク測定応答フレームを送信するステップと、を有する例１１３に記載の無線通信方法。
【０１８２】
（例１１６）前記送信したリンク測定応答フレームに応答する第２リンク測定応答フレームの受信に基づき、前記ビームフォーミング相反性テストが成功したことを決定するステップ、を有する例１１５に記載の無線通信方法。
【０１８３】
（例１１７）前記送信したリンク測定応答フレームに応答して第２リンク測定応答フレームが受信されないという決定に応答して、前記ビームフォーミング相反性テストが失敗したことを決定するステップ、を有する例１１５に記載の無線通信方法。
【０１８４】
（例１１８）前記ビームフォーミング相反性テストが成功したという決定に応答して、指向データ受信のために前記相反性レスポンダＲＸセクタを用いることを決定するステップと、前記相反性レスポンダＲＸセクタに対応する受信アンテナパターンを用いて指向データ送信を受信するステップと、を有する例１１３に記載の無線通信方法。
【０１８５】
（例１１９）前記ビームフォーミング相反性テストが失敗したという決定に応答して、指向データ受信のために前記相反性レスポンダＲＸセクタを用いないことを決定するステップと、レスポンダＲＸセクタを選択するステップと、を有する例１１３に記載の無線通信方法。
【０１８６】
（例１２０）前記受信セクタトレーニング手順のイニシエータ受信セクタスイープ（ＲＸＳＳ）の間に受信された１又は複数のセクタスイープフレームに基づき、前記レスポンダＲＸセクタを選択するステップ、を有する例１１９に記載の無線通信方法。
【０１８７】
（例１２１）前記選択したレスポンダＲＸセクタに対応する受信アンテナパターンを用いて、指向データ送信を受信するステップ、を有する例１１９に記載の無線通信方法。
【０１８８】
（例１２２）受信した指向受信命令に基づき、前記相反性レスポンダＲＸセクタを用いて前記指向受信モードに入ることを決定するステップ、を有する例１１３に記載の無線通信方法。
【０１８９】
（例１２３）前記指向受信命令は、受信した許可フレームに含まれる、例１２２に記載の無線通信方法。
【０１９０】
（例１２４）前記指向受信命令は、前記許可フレームのビームフォーミング制御フィールド内に指定ビットの値を有する、例１２３に記載の無線通信方法。
【０１９１】
（例１２５）前記許可フレームに応答して許可肯定応答フレームを送信するステップであって、前記許可肯定応答フレームは、前記指向受信命令の肯定応答を含む、ステップ、を有する例１２２に記載の無線通信方法。
【０１９２】
（例１２６）前記指向受信命令の前記肯定応答は、前記許可肯定応答フレームのビームフォーミング制御フィールド内に指定ビットの値を有する、例１２５に記載の無線通信方法。
【０１９３】
（例１２７）前記指向受信命令は、受信したセクタスイープフィードバックフレームに含まれる、例１２２に記載の無線通信方法。
【０１９４】
（例１２８）前記指向受信命令は、前記セクタスイープフィードバックフレームのセクタスイープフィードバックフィールド内に指定ビットの値を有する、例１２７に記載の無線通信方法。
【０１９５】
（例１２９）前記セクタスイープフィードバックフレームに応答してセクタスイープ肯定応答フレームを送信するステップであって、前記セクタスイープ肯定応答フレームは、前記指向受信命令の肯定応答を含む、ステップ、を有する例１２２に記載の無線通信方法。
【０１９６】
（例１３０）前記指向受信命令の前記肯定応答は、前記セクタスイープ肯定応答フレームのセクタスイープフィードバックフィールド内に指定ビットの値を有する、例１２９に記載の無線通信方法。
【０１９７】
（例１３１）受信した管理フレームの指向マルチギガビット（ＤＭＧ）能力情報フィールド内のビットの値に基づき、前記相反性レスポンダＲＸセクタを用いて前記指向受信モードに入ることを決定するステップ、を有する例１１３に記載の無線通信方法。
【０１９８】
（例１３２）コンピューティング装置上で実行されることに応答して、前記コンピューティング装置に、例１１３乃至１３１のいずれかに記載の無線通信方法を実行させる、命令セットを有する少なくとも１つの非一時的コンピュータ可読記憶媒体。
【０１９９】
（例１３３）例１１３−１３１のいずれかの無線通信方法を実行する手段を有する装置。
【０２００】
（例１３４）例１３３に記載の装置と、少なくとも１つの無線周波数（ＲＦ）通信機と、少なくとも１つのＲＦアンテナと、を有するシステム。
【０２０１】
（例１３５）タッチスクリーンディスプレイを有する、例１３４に記載のシステム。
【０２０２】
（例１３６）局（ＳＴＡ）により、イニシエータ送信（ＴＸ）セクタを選択するためにイニシエータ送信セクタスイープ（ＴＸＳＳ）を実行する手段と、前記の選択したイニシエータＴＸセクタを用いてビームフォーミング相反性テストを実行する手段と、前記ビームフォーミング相反性テストの結果に基づき前記イニシエータＴＸセクタの相反性イニシエータ受信（ＲＸ）セクタを用いて指向受信を実行するか否かを決定する手段と、を有する無線通信装置。
【０２０３】
（例１３７）前記ロジックは、前記ビームフォーミング相反性テストを含む初期変調及び符号化方式（ＭＣＳ）選択交換を開始する手段、を有する例１３６に記載の無線通信装置。
【０２０４】
（例１３８）前記ビームフォーミング相反性テストの間に、リンク測定要求フレームを送信する手段、を有する例１３６に記載の無線通信装置。
【０２０５】
（例１３９）前記リンク測定要求フレームを有する信号を、前記選択したイニシエータＴＸセクタに対応する送信アンテナパターンを用いて指向送信する手段、を有する例１３８に記載の無線通信装置。
【０２０６】
（例１４０）前記リンク測定要求フレームに応答するリンク測定応答フレームの受信に基づき、前記ビームフォーミング相反性テストが成功したことを決定する手段、を有する例１３８に記載の無線通信装置。
【０２０７】
（例１４１）前記受信したリンク測定応答フレームに応答して、第２リンク測定応答フレームを送信する手段、を有する例１４０に記載の無線通信装置。
【０２０８】
（例１４２）前記リンク測定要求フレームに対する応答が受信されていないという決定に応答して、前記ビームフォーミング相反性テストが失敗したことを決定する手段、を有する例１３８に記載の無線通信装置。
【０２０９】
（例１４３）前記ビームフォーミング相反性テストが成功したという決定に応答して、前記相反性イニシエータＲＸセクタを用いて指向受信を実行し、前記相反性イニシエータＲＸセクタに対応する受信アンテナパターンを用いて指向データ送信を受信する手段、を有する例１３６に記載の無線通信装置。
【０２１０】
（例１４４）前記ビームフォーミング相反性テストが失敗したという決定に応答して、前記相反性イニシエータＲＸセクタを用いて指向受信を実行しないことを決定し、イニシエータＲＸセクタを選択する手段、を有する例１３６に記載の無線通信装置。
【０２１１】
（例１４５）前記相反性イニシエータＲＸセクタを用いて指向受信を実行しないという決定に応答して、受信セクタトレーニング手順を開始する手段、を有する例１４４に記載の無線通信装置。
【０２１２】
（例１４６）前記受信セクタトレーニング手順に含まれるレスポンダ受信セクタスイープ（ＲＸＳＳ）の間に受信された１又は複数のセクタスイープフレームに基づき、前記イニシエータＲＸセクタを選択する手段、を有する例１４５に記載の無線通信装置。
【０２１３】
（例１４７）前記選択したイニシエータＲＸセクタに対応する受信アンテナパターンを用いて、指向データ送信を受信する手段、を有する例１４４に記載の無線通信装置。
【０２１４】
（例１４８）指向受信モードに入るようレスポンダに指示するために指向受信命令を送信する手段であって、前記指向受信命令は、前記イニシエータＴＸＳＳと同じ送信セクタトレーニング手順に含まれるレスポンダＴＸＳＳに続き前記指向受信モードに入るよう前記レスポンダに指示する、手段、を有する例１３６に記載の無線通信装置。
【０２１５】
（例１４９）前記指向受信命令を有する許可フレームを送信する手段、を有する例１４８に記載の無線通信装置。
【０２１６】
（例１５０）前記指向受信命令は、前記許可フレームのビームフォーミング制御フィールド内に指定ビットの値を有する、例１４９に記載の無線通信装置。
【０２１７】
（例１５１）前記許可フレームに応答して許可肯定応答フレームを受信する手段であって、前記許可肯定応答フレームは、前記指向受信命令の肯定応答を含む、手段、を有する例１４９に記載の無線通信装置。
【０２１８】
（例１５２）前記指向受信命令の前記肯定応答は、前記許可肯定応答フレームのビームフォーミング制御フィールド内に指定ビットの値を有する、例１５１に記載の無線通信装置。
【０２１９】
（例１５３）前記送信セクタトレーニング手順に続き、前記指向受信命令を有する許可フレームを送信するステップ、を有する例１４９に記載の無線通信装置。
【０２２０】
（例１５４）前記指向受信命令を有するセクタスイープフィードバックフレームを送信する手段、を有する例１４８に記載の無線通信装置。
【０２２１】
（例１５５）前記指向受信命令は、前記セクタスイープフィードバックフレームのセクタスイープフィードバックフィールド内に指定ビットの値を有する、例１５４に記載の無線通信装置。
【０２２２】
（例１５６）前記セクタスイープフィードバックフレームに応答してセクタスイープ肯定応答フレームを受信する手段であって、前記セクタスイープ肯定応答フレームは、前記指向受信命令の肯定応答を含む、手段、を有する例１５４に記載の無線通信装置。
【０２２３】
（例１５７）前記指向受信命令の前記肯定応答は、前記セクタスイープ肯定応答フレームのセクタスイープフィードバックフィールド内に指定ビットの値を有する、例１５６に記載の無線通信装置。
【０２２４】
（例１５８）例１３６乃至１５７のいずれかに記載の装置と、少なくとも１つの無線周波数（ＲＦ）通信機と、少なくとも１つのＲＦアンテナと、を有するシステム。
【０２２５】
（例１５９）タッチスクリーンディスプレイを有する、例１５８に記載のシステム。
【０２２６】
（例１６０）局（ＳＴＡ）により、レスポンダ送信（ＴＸ）セクタを選択するためにレスポンダ送信セクタスイープ（ＲＸＳＳ）を実行する手段と、前記レスポンダＴＸセクタの相反性レスポンダ受信（ＲＸ）セクタを用いて指向受信モードに入る手段と、前記ビームフォーミング相反性テストの結果に基づき指向データ受信のために前記相反性レスポンダＲＸセクタを使用するか否かを決定する手段と、を有する無線通信装置。
【０２２７】
（例１６１）前記ビームフォーミング相反性テストは、初期変調及び符号化方式（ＭＣＳ）選択交換の少なくとも一部を含む、例１６０に記載の無線通信装置。
【０２２８】
（例１６２）前記ビームフォーミング相反性テストの間に、リンク測定要求フレームを受信し、前記リンク測定要求フレームに応答してリンク測定応答フレームを送信する手段、を有する例１６０に記載の無線通信装置。
【０２２９】
（例１６３）前記送信したリンク測定応答フレームに応答する第２リンク測定応答フレームの受信に基づき、前記ビームフォーミング相反性テストが成功したことを決定する手段、を有する例１６２に記載の無線通信装置。
【０２３０】
（例１６４）前記送信したリンク測定応答フレームに応答して第２リンク測定応答フレームが受信されないという決定に応答して、前記ビームフォーミング相反性テストが失敗したことを決定する手段、を有する例１６２に記載の無線通信装置。
【０２３１】
（例１６５）前記ビームフォーミング相反性テストが成功したという決定に応答して、指向データ受信のために前記相反性レスポンダＲＸセクタを用いることを決定し、前記相反性レスポンダＲＸセクタに対応する受信アンテナパターンを用いて指向データ送信を受信する手段、を有する例１６０に記載の無線通信装置。
【０２３２】
（例１６６）前記ビームフォーミング相反性テストが失敗したという決定に応答して、指向データ受信のために前記相反性レスポンダＲＸセクタを用いないことを決定し、レスポンダＲＸセクタを選択する手段と、を有する例１６０に記載の無線通信装置。
【０２３３】
（例１６７）前記受信セクタトレーニング手順のイニシエータ受信セクタスイープ（ＲＸＳＳ）の間に受信された１又は複数のセクタスイープフレームに基づき、前記レスポンダＲＸセクタを選択する手段、を有する例１６６に記載の無線通信装置。
【０２３４】
（例１６８）前記選択したレスポンダＲＸセクタに対応する受信アンテナパターンを用いて、指向データ送信を受信する手段、を有する例１６６に記載の無線通信装置。
【０２３５】
（例１６９）受信した指向受信命令に基づき、前記相反性レスポンダＲＸセクタを用いて前記指向受信モードに入ることを決定する手段、を有する例１６０に記載の無線通信装置。
【０２３６】
（例１７０）前記指向受信命令は、受信した許可フレームと比較される、例１６９に記載の無線通信装置。
【０２３７】
（例１７１）前記指向受信命令は、前記許可フレームのビームフォーミング制御フィールド内に指定ビットの値を有する、例１７０に記載の無線通信装置。
【０２３８】
（例１７２）前記許可フレームに応答して許可肯定応答フレームを送信する手段であって、前記許可肯定応答フレームは、前記指向受信命令の肯定応答を含む、手段、を有する例１６９に記載の無線通信装置。
【０２３９】
（例１７３）前記指向受信命令の前記肯定応答は、前記許可肯定応答フレームのビームフォーミング制御フィールド内に指定ビットの値を有する、例１７２に記載の無線通信装置。
【０２４０】
（例１７４）前記指向受信命令は、受信したセクタスイープフィードバックフレームに含まれる、例１６９に記載の無線通信装置。
【０２４１】
（例１７５）前記指向受信命令は、前記セクタスイープフィードバックフレームのセクタスイープフィードバックフィールド内に指定ビットの値を有する、例１７４に記載の無線通信装置。
【０２４２】
（例１７６）前記セクタスイープフィードバックフレームに応答してセクタスイープ肯定応答フレームを送信する手段であって、前記セクタスイープ肯定応答フレームは、前記指向受信命令の肯定応答を含む、手段、を有する例１６９に記載の無線通信装置。
【０２４３】
（例１７７）前記指向受信命令の前記肯定応答は、前記セクタスイープ肯定応答フレームのセクタスイープフィードバックフィールド内に指定ビットの値を有する、例１７６に記載の無線通信装置。
【０２４４】
（例１７８）受信した管理フレームの指向マルチギガビット（ＤＭＧ）能力情報フィールド内のビットの値に基づき、前記相反性レスポンダＲＸセクタを用いて前記指向受信モードに入ることを決定する手段、を有する例１６０に記載の無線通信装置。
【０２４５】
（例１７９）例１６０乃至１７８のいずれかに記載の装置と、少なくとも１つの無線周波数（ＲＦ）通信機と、少なくとも１つのＲＦアンテナと、を有するシステム。
【０２４６】
（例１８０）タッチスクリーンディスプレイを有する、例１７９に記載のシステム。
【０２４７】
実施形態の深い理解を提供するために、多数の特定の詳細事項が本願明細書に記載された。しかしながら、実施形態がこれらの特定の詳細を有しないで実施できることが当業者により理解されるだろう。他の例では、実施形態を曖昧にすることを避けるため、良く知られた動作、コンポーネント及び回路は詳細に説明されない。本願明細書に開示された特定の構造及び機能的詳細は、代表的なものであり、必ずしも実施形態の範囲を限定しないことが理解できる。
【０２４８】
幾つかの実施形態は、「結合される」又は「接続される」という表現に加えてそれらの派生語を用いて記載された。これらの語は、互いに同義語であることを意図していない。例えば、幾つかの実施形態は、２以上の要素が物理的に又は電気的に互いに直接接触していることを示すために「接続される」及び／又は「結合される」という語を用いて記載された。しかしながら、「結合される」という語は、２以上の要素が互いに直接的に接触していないが、依然として互いに協調して又は相互作用していることも意味し得る。
【０２４９】
特に断りのない限り、「処理」、「計算」、「演算」、「決定」、「表示」、等の語は、コンピューティングシステムのレジスタ及び／又はメモリ内にある物理量（例えば電子）として表されたデータを操作し、コンピューティングシステムのメモリ、レジスタ又は他の情報記憶、送信又は表示装置内の物理量として同様に表される他のデータに変換するコンピュータシステム又はコンピューティングシステム又は同様の電子コンピューティング装置の動作及び／又は処理を表す。実施形態は、この文脈に限定されない。
【０２５０】
留意すべき点は、本願明細書に記載した方法が、記載した順序で又は任意の特定の順序で実行される必要がないことである。さらに、本願明細書で特定した方法に関して記載した種々の動作は、直列又は並列的に実行することができる。
【０２５１】
本願明細書において特定の実施形態が示され説明されたが、同一の目的を達成するために計算された任意の構成が示された特定の実施形態と置き換えられても良いことが理解されるべきである。本開示は、種々の実施形態の任意の及び全ての適応又は変形をカバーすることを意図する。理解されるべきことに、上述の説明は、説明的方法で行われ、限定的なものではない。上述の実施形態の組合せ、及び本願明細書に特に記載されない他の実施形態は、上述の記載を読むことにより当業者に明らかになる。したがって、種々の実施形態の範囲は、上述の構成、構造、及び方法が用いられる任意の他の適用を含む。
【０２５２】
読者が技術的開示の特性及び主旨を解明できるように、要約を要求する３７Ｃ．Ｆ．Ｒ  §１．７２（ｂ）に従い、本開示の要約が提供されることを強調する。要旨は請求項の範囲又は意味を解釈又は限定するために用いられるべきでないことが理解される。また、上述の詳細な説明では、本開示の合理化のために、種々の特徴が単一の実施形態に一緒にグループ化されることが分かる。この開示の方法は、請求される実施形態が各請求項に明示的に記載されたよりも多くの特徴を必要とするという意図を反映していると解釈するべきではない。むしろ、添付の請求項が反映しているように、本発明の主題は、単一の開示された実施形態の全ての特徴よりも少ない。したがって、ここで、添付の請求項は、各請求項が別個の好適な実施形態として存在するとして、詳細な説明に組み込まれる。添付の請求項では、用語「含む（including）」及び「（in  which）」は、それぞれ用語「comprising」及び「wherein」の英語の明白な等化語として用いられる。さらに、用語「第１の」、「第２の」、「第３の」等は、単にラベルとして用いられ、それらの目的語に数値的要件を課すことを意図しない。
【０２５３】
本発明の主題は構造的特徴及び／又は方法論的動作に特有の言葉で記載されたが、本発明の主題は、特許請求の範囲に定められる上述の特定の特徴又は動作に限定されないことが理解されるべきである。むしろ、上述の特定の特徴及び動作は、特許請求の範囲の実施の例示的形態として開示されたものである。
【図１】
2018512805.tif 000003
【図２Ａ】
2018512805.tif 000004
【図２Ｂ】
2018512805.tif 000005
【図３】
2018512805.tif 000006
【図４】
2018512805.tif 000007
【図５】
2018512805.tif 000008
【図６】
2018512805.tif 000009
【図７】
2018512805.tif 000010
【図８】
2018512805.tif 000011
【図９】
2018512805.tif 000012
【図１０】
2018512805.tif 000013
【図１１】
2018512805.tif 000014
【国際調査報告】
2018512805.tif 000015
2018512805.tif 000016